(57)【要約】  表示部と遊技者との距離に関係無く、３次元画像を表示する表示部を含む複数の表示部により、背景画像を含めた画像全体で奥行き表現を行うことが可能な遊技機を提供すること。  本発明の一実施形態に係る遊技機は、３次元画像を表示する第２表示部（４２）と、前記３次元画像よりも手前側に画像を表示する第１表示部（４１）と、前記３次元画像よりも奥側に画像を表示する第３表示部（４３）とを備える。
2015099174.tif 000002
【特許請求の範囲】
【請求項１】
３次元画像を表示する第１表示部と、前記３次元画像よりも手前側に画像を表示する第２表示部と、前記３次元画像よりも奥側に画像を表示する第３表示部とを備えることを特徴とする遊技機。
【請求項２】
前記第２表示部は、前記３次元画像に対して、前記遊技機の遊技を行う遊技者が位置すべき側に設けられ、少なくとも可視光を透過するように構成されており、前記第３表示部は、前記３次元画像に対して、前記遊技者が位置すべき側と反対側に設けられていることを特徴とする請求項１に記載の遊技機。
【請求項３】
前記第１表示部、前記第２表示部及び第３表示部に所定の画像の表示を行う表示制御部を備え、前記表示制御部は、前記第１表示部、前記第２表示部、および前記第３表示部の少なくともいずれか２つの表示部を用いて所定の場面を表示する場合、該２つの表示部のうち、前記遊技者が位置すべき側に近い表示部に表示する第１の動体の速さが、前記遊技者が位置すべき側から遠い表示部に表示する第２の動体の速さよりも速くなるように、前記第１の動体を前記近い表示部に表示させ、前記第２の動体を前記遠い表示部に表示させることを特徴とする請求項１または２に記載の遊技機。
【請求項４】
前記第２表示部及び第３表示部に表示する画像を生成する表示制御部を備え、前記表示制御部は、前記第３表示部に表示する動体の速さを、前記第２表示部に表示する動体の速さよりも、遅くなるように前記第２表示部及び前記３表示部それぞれに表示する画像を生成するようにしてあることを特徴とする請求項１または２に記載の遊技機。
【請求項５】
前記第１表示部、前記第２表示部、および前記第３表示部の少なくともいずれか２つの表示部により形成される映像領域において、前記遊技機の遊技者または所定の物体が所定の方向に移動している様を描写する際、前記２つの表示部の各々には、前記所定の方向と反対側に移動しているように見える物体を表示し、前記２つの表示部の前記遊技者に近い方の表示部では、前記反対側に移動しているように見える物体を相対的に速く表示し、前記２つの表示部の前記遊技者から遠い方の表示部では、前記反対側に移動しているように見える物体を相対的に遅く表示することを特徴とする請求項１または２に記載の遊技機。
【請求項６】
前記第２表示部は透過型表示部であり、前記第１表示部及び前記第３表示部を遮蔽する画像を生成し、該生成された遮蔽する画像を前記第２表示部に表示させる手段をさらに備えることを特徴とする請求項１乃至５のいずれか一項に記載の遊技機。
【請求項７】
遊技者の動きを検出する動き検出部と、前記動き検出部により検出した遊技者の動きに基づいて、前記第１表示部、第２表示部又は第３表示部が表示する画像を変化させる画像生成部とをさらに備えることを特徴とする請求項１乃至６のいずれか一項に記載の遊技機。
【請求項８】
前記動き検出部は、遊技者を撮影する撮影部と、該撮影部にて撮影した遊技者の映像から遊技者の頭部の位置及び向きの少なくとも一方を検出する頭部検出部とを有し、前記画像生成部は遊技者の頭部の位置及び向きの少なくとも一方の変化に基づいて、前記第１表示部、第２表示部及び第３表示部それぞれが表示する画像を変化させることを特徴とする請求項７に記載の遊技機。
【請求項９】
複数の画像の中から遊技の状況に基づいて、所要の画像を選択する選択部と、選択した画像を所定の投影対象へ投影する画像投影部とを備えたことを特徴とする遊技機。
【請求項１０】
前記投影対象は、前記遊技機の遊技者の身体の少なくとも一部と、前記遊技機の筐体の少なくとも一部との少なくとも一方であることを特徴とする請求項９に記載の遊技機。
【請求項１１】
遊技者の生体情報を検出する検出部を備え、前記画像選択部は、前記検出部が検出した生体情報及び前記遊技の状況に基づいて、画像を選択するようにしてあることを特徴とする請求項９または請求項１０に記載の遊技機。
【請求項１２】
前記画像投影部は、前記選択部が選択した画像を、遊技者と対向する正面側と所定の角度をなし側方に配されている投影板に投影するようにしてあることを特徴とする請求項９乃至１１のいずれか一項に記載の遊技機。
【請求項１３】
前記遊技機の遊技者が位置する領域の少なくとも一部を囲むように設けられた投影板であって、前記画像投影部から投影された映像を前記領域に位置する遊技者が見えるように構成された投影板をさらに備えることを特徴とする請求項９乃至１１のいずれか一項に記載の遊技機。
【請求項１４】
前記投影板は、投影可能範囲が最小となる収納位置から投影可能範囲が最大となる使用位置まで遊技機正面と所定の角度をなす方向に移動可能であり、前記投影板の収納位置又は使用位置への移動を指示する信号を出力する信号出力部を備え、該信号出力部は、遊技の状況に基づいて、前記投影板の前記収納位置又は使用位置への移動を指示する信号を出力するようにしてあることを特徴とする請求項１２または１３に記載の遊技機。 
【発明の詳細な説明】
【技術分野】
【０００１】本発明は、弾球遊技機、回胴遊技機、アミューズメントゲーム機及びカジノマシン（カジノ向けスロットマシン、ビデオポーカー、ビデオブラックジャック、ビデオルーレット、ビデオキノなど）を含む遊技機に関する。
【背景技術】
【０００２】近年、２次元画像表示よりも臨場感が得られる３次元画像表示技術が提案されている。特許文献１には複数のオブジェクトが配置されるオブジェクト空間内に湾曲面を設定し、観者に情報を表示するための情報表示オブジェクトを湾曲面上に配置する画像生成システムが記載されている。特許文献１に記載のシステムによれば、情報表示オブジェクトを湾曲面上に配置することにより、立体視に好適な表示態様で、情報表示オブジェクトを表示可能となる。【０００３】また、特許文献２には表示画面が前後に積層配置された表示装置において、特定表示物を前方側画面又は後方側画面から、後方側画面又は前方側画面に移動する移動表示を行うことにより、奥行き感のある前後移動表示を行うことが記載されている。【０００４】一方、弾球遊技機や回胴遊技機などの遊技機を設置する遊技店（いわゆるホール）では、遊技の興趣を高めるために、様々な照明による演出を行っている。例えば、遊技機が所定の遊技状態（大当たり、リーチ）または、悪意による遊技機のドアの開放などの状態の時に、当の遊技者にスポットライトを照射する遊技場における照明制御システムが提案されている（特許文献３）。
【先行技術文献】
【特許文献】
【０００５】
【特許文献１】特開２０１１−２１２２７０号公報
【特許文献２】特開２００９−１２５１９５号公報
【特許文献３】特開２００４−３１３５０６号公報
【発明の概要】
【発明が解決しようとする課題】
【０００６】特許文献１に記載のシステムでは、情報表示オブジェクトというオブジェクト空間に付加的に表示されるものの表示手法であり、背景画像を含めた画像全体で奥行きを表現することは考慮されていない。また、特許文献２に記載の表示装置では、動体の動きにより奥行き感を表現しており、背景画像を含めた画像全体で奥行きを表現することは考慮されていない。よって、特許文献１、２に開示の発明では、表示領域全体を使って、観者が視覚により奥行きを感じとれる領域内にて所定の物体がダイナミックに動くような演出を行うことは困難と言えるであろう。すなわち、所定の長さにより区画される領域において、該所定の長さにより区画される領域よりも大きな空間を観者に視覚させ、該大きな空間内にて所定の物体が動き回るような演出は困難と言える。さらに、特許文献１に記載のシステムでは、表示部のスクリーンから観者までの距離を示すスクリーン距離に応じて、上記湾曲面を設定配置している。このとき、ゲームメーカ側が意図した立体画像を得るために、情報表示オブジェクトの表示位置を手掛かりにしたり、あるいは、デプスセンサ等を用いてスクリーン距離情報を自動的に算出するなどして上記スクリーン距離を調節しなければならない。本発明の一態様は、このような事情に鑑みてなされたものであり、表示部と遊技者との距離に関係無く、３次元画像を表示する表示部を含む複数の表示部により、背景画像を含めた画像全体で奥行き表現を行うことが可能な遊技機を提供することを目的とする。【０００７】また、特許文献３に記載の技術では遊技者にスポット照明を当てるものであり、多彩な演出表現を行うことは困難である。本発明の別の態様は、このような事情に鑑みてなされたものであり、多彩な演出表現を行うことを可能とする遊技機等を提供することを目的とする。
【課題を解決するための手段】
【０００８】本発明の一態様に係る遊技機は、３次元画像を表示する第１表示部と、前記３次元画像よりも手前側に画像を表示する第２表示部と、前記３次元画像よりも奥側に画像を表示する第３表示部とを備えることを特徴とする。また、本発明の別の態様に係る遊技機は、複数の画像の中から遊技の状況に基づいて、所要の画像を選択する選択部と、選択した画像を所定の投影対象へ投影する画像投影部とを備えたことを特徴とする。
【発明の効果】
【０００９】本発明の一態様にあっては、３次元画像を表示する第１表示部、および該第１表示部を挟むように設けられた第２表示部、第３表示部を備えるので、表示部と遊技者との距離に関係無く、背景画像を含めた画像全体で奥行き表現を行うこと、遊技者の興趣を向上させることが可能となる。また、本発明の別の態様にあっては、多彩な演出表現を行うことが可能となる。
【図面の簡単な説明】
【００１０】
【図１】本発明の一実施形態に係る弾球遊技機を示す正面図である。
【図２】本発明の一実施形態に係る弾球遊技機のハードウェア構成を示すブロック図である。
【図３】本発明の一実施形態に係る表示装置の構造を説明するための説明図である。
【図４】本発明の一実施形態に係る表示装置を用いた表示手法を示すための説明図である。
【図５】本発明の一実施形態に係る表示装置を用いた表示手法を示すための説明図である。
【図６】本発明の一実施形態に係る表示装置を用いた表示手法を示すための説明図である。
【図７】本発明の一実施形態に係る遊技者の頭部の動きに応じた表示画像の変化を示す説明図である。
【図８】本発明の一実施形態に係る遊技者の頭部の動きに応じた表示画像の変化を示す説明図である。
【図９】本発明の一実施形態に係る遊技の進行を示すフローチャートである。
【図１０】本発明の一実施形態に係る弾球遊技機が通常モードである場合の表示例を示すための説明図である。
【図１１】本発明の一実施形態に係る弾球遊技機におけるリーチや確率変動の前触れの表示例を示す説明図である。
【図１２】本発明の一実施形態に係る弾球遊技機における確変大当たりモード時の表示例を示す説明図である。
【図１３】本発明の一実施形態に係るスロットマシンを示す斜視図である。
【図１４】本発明の一実施形態に係るスロットマシンのハードウェア構成を示すブロック図である。
【図１５】本発明の一実施形態に係るリールの表示手法を示すための説明図である。
【図１６】本発明の一実施形態に係るリールの表示手法を示すための説明図である。
【図１７】本発明の一実施形態に係るリールの表示手法を示すための説明図である。
【図１８】本発明の一実施形態に係るリールの表示手法を示すための説明図である。
【図１９】本発明の一実施形態に係るスロットマシンの表示装置の構成を示す説明図である。
【図２０】本発明の一実施形態に係る弾球遊技機での表示変更処理の手順を示すフローチャートである。
【図２１】本発明の一実施形態に係る弾球遊技機での表示態様を示す説明図である。
【図２２】実施の形態１に係るスロットマシンを示す斜視図である。
【図２３】スロットマシンの制御系のハードウェア構成を示すブロック図である。
【図２４】プロジェクタ部による演出の一例を示す説明図である。
【図２５】演出強度テーブルのレコードレイアウトの一例を示す説明図である。
【図２６】演出強度対応テーブルのレコードレイアウトの一例を示す説明図である。
【図２７】演出選択処理の処理手順の一例を示すフローチャートである。
【図２８】投影板の一例を示す説明図である。
【図２９】副制御部の構成を示すブロック図である。
【図３０】投影板及び投影板制御部のハードウェア構成を示すブロック図である。
【図３１】投影板制御処理の処理手順の一例を示すフローチャートである。
【図３２】遊技者の上方に投影板を設けている場合のスロットマシンを示す斜視図である。
【図３３】プロジェクタ部による押し順ナビを示す説明図である。
【図３４】押し順ナビ処理の処理手順の一例を示すフローチャートである。
【図３５】弾球遊技機を示す正面図である。
【図３６】弾球遊技機の制御系のハードウェア構成を示すブロック図である。
【図３７】プロジェクタ部による演出の一例を示す説明図である。
【図３８】遊技場システムの一構成例を示す説明図である。
【図３９】遊技機状態管理テーブルのレコードレイアウトの一例を示す説明図である。
【図４０】ホールコンピュータのハードウェア構成の一例を示すブロック図である。
【図４１】空席表示処理の処理手順の一例を示すフローチャートである。
【図４２】空席表示処理の処理手順の一例を示すフローチャートである。
【図４３】本発明の一実施形態に係るホール全体の演出のイメージ図である。
【図４４】本発明の他の実施形態に係るホール全体の演出のイメージ図である。
【図４５】本発明の一実施形態に係る液晶ディスプレイを用いた演出の模式図である。
【発明を実施するための形態】
【００１１】１．第１の実施形態以下、本発明の第１の実施形態をその実施の形態を示す図面に基づき具体的に説明する。実施の形態１においては、遊技機の一例として弾球遊技機を示す。
【００１２】（実施の形態１）図１は本発明の一実施形態に係る弾球遊技機１００を示す正面図である。弾球遊技機１００（遊技機）は、本体１、遊技盤２、ハンドル３、表示装置４、ガラス枠ユニット５、撮影部６を含む。本体１には、遊技盤２、ハンドル３、表示装置４が固定されている。また、本体１には、表示装置４を制御する表示制御部（所謂、サブ基板）、弾球遊技機１００における各種抽選処理、該抽選結果を示す情報の出力、各種入賞口への入賞に対する払い出しに関する演算、該演算結果の出力など弾球遊技機１００の抽選に関わる処理を実行する遊技制御部（所謂、メイン基板）、撮影部６が撮影した画像を処理する画像処理部などが内蔵されている。遊技盤２には複数の釘２１、風車２２、始動口（スタートチャッカ）２３、大入賞口（アタッカ）２４が設けられている。ハンドル３は遊技球の射出を制御するために用いられ、回転角度により弾球の射出速度が変化する。表示装置４は、遊技盤２の後方に配されている。表示装置４は、遊技球の入賞や、入賞により行われた抽選の様子、結果を示す画像、遊技の進行に応じた演出などを表示する。ガラス枠ユニット５はガラスが嵌められており、遊技盤２を覆っている。遊技盤２は透明板状をなしている。遊技盤２を透明な部材で構成しているため、遊技盤２の後方に配されている表示装置４に表示される画像を遊技者は視認可能となっている。撮影部６はＣＣＤ（Charge−Coupled Device）カメラ、画像センサなどの画像を撮影するデバイスであり、遊技者の身体の少なくとも一部（本実施形態では、頭部）の位置を検知する。撮影部６は、遊技者の動きを検出するために、主として遊技者の頭部を撮影する。また、撮影部６に変わり、赤外線センサ、レーザセンサ、超音波センサなどにより、遊技者の動きを検出しても良い。
【００１３】図２は本発明の一実施形態に係る弾球遊技機１００のハードウェア構成を示すブロック図である。図２は弾球遊技機１００の制御系を主として示している。弾球遊技機１００は、始動口２３への遊技球の入賞を検知する始動口センサ２３ａ、大入賞口２４への遊技球の入賞を検知する大入賞口センサ２４ａ、表示装置４、撮影部６、表示制御部１１、画像ＤＢ（DataBase）１２、画像処理部１３、遊技制御部１４を含む。表示制御部１１は、遊技制御部１４からの指示に従って変動表示ゲーム等のための画像制御情報（図柄表示情報、背景画面情報、物体表示画像、３次元表示画像等）を処理・演算することによって、表示装置４を適宜動作させる部分である。表示制御部１１は表示装置４に表示する画像を画像ＤＢ１２から読み出し、表示装置４に出力する。画像ＤＢ１２は動画、静止画を含む種々の画像（図柄画像、背景画像、物体表示画像、３次元画像など）を記憶する。画像処理部１３は撮影部６が撮影した画像を基に、遊技者の動きの変化を検出する。遊技制御部１４は、遊技における抽選、払い出しに関する処理を統括的に制御する主制御装置である。遊技制御部１４は、入賞球の検出、入賞球が入賞した特定領域（始動口２３、大入賞口２４、一般入賞口（不図示）、普通電動役物（不図示）など）に関する抽選、賞球の払出等を司る中心的部分であるが、周知技術により構成可能であるから、具体的な説明は省略する。なお、上記表示制御部１１、画像処理部１３、遊技制御部１４はそれぞれ、種々の演算、制御、判別などの処理動作を実行するＣＰＵ（Central Processing Unit）、およびこのＣＰＵによって実行される様々な制御プログラムなどを格納するＲＯＭ（Read Only Memory）、ＣＰＵの処理動作中のデータや入力データなどを一時的に格納するＲＡＭ（Random Access Memory）、およびフラッシュメモリやＳＲＡＭ（Static ＲＡＭ）等の不揮発性メモリなどを有する。本実施形態では、上記表示制御部１１、画像処理部１３、遊技制御部１４においては、ＣＰＵがＲＯＭ等の記憶部に格納された所定のプログラムを読み出し、実行することにより、各処理が行われる。しかしながら、本実施形態では、上記表示制御部１１、画像処理部１３、遊技制御部１４の各々が実行する各機能のうち少なくとも１つを回路として実装しても良いことは言うまでも無い。
【００１４】図３は本発明の一実施形態に係る表示装置４の構造を説明するための説明図である。表示装置４は表示領域の３層構造としてあり、第１表示部４１、第２表示部４２、第３表示部４３を含む。第１表示部４１が弾球遊技機１００の遊技者（表示装置４に対向する位置に存在する遊技者）から見て最も手前側に配されている。第３表示部４３が上記遊技者から見て、最も奥側に配されている。一例として記載した第１表示部４１、第２表示部４２、第３表示部４３はそれぞれ、特許請求の範囲においては、第２表示部、第１表示部、第３表示部に該当する。
【００１５】第１表示部４１は、遊技者が弾球遊技機１００を操作する際に位置すべき側に設けられ、少なとも可視光が透過する透過型ディスプレイである。第１表示部４１は透過型有機ＥＬ（Electro Luminescence）ディスプレイ、透過型液晶ディスプレイなどの、画像が表示される表示領域（例えば、液晶パネルなど）である。よって、第１表示部４１は、遊技者と表示装置４との間の距離に関係無く所定の画像を表示装置４の最も遊技者側（３次元画像４２１の遊技者に対して手前側）に表示する。第３表示部４３は、上記第１表示部４１の上記位置すべき側とは反対側に設けられた表示部であって、有機ＥＬディスプレイ、液晶ディスプレイなどの、画像が表示される表示領域（例えば、液晶パネルなど）である。よって、第３表示部４３は、遊技者と表示装置４との間の距離に関係無く所定の画像を表示装置４の最も遊技者から離れた側（３次元画像４２１の遊技者に対して奥側）に表示する。本実施形態では、第３表示部４３を曲面状とすることにより、第３表示部４３の縁部分が画像が映し出される表示領域側に張り出るようになるので、その張り出る分だけ表示領域を大きくすることができる。そのため、ある筐体において配置できる最大面積の平面表示部よりも大きな映写面積を有する表示領域を上記筐体に配置することができる。すなわち、小さな筐体においてより大きな表示領域を設けることができる。なお、第３表示部４３は図２に示すように曲面状であることが望ましいが、それに限られず平面状であっても良い。なお、図３では、領事領域としての第１表示部４１と第３表示部４３のみを記載しているが、第１表示部４１を備える第１の表示装置の第１の他の部材、および第３表示部４３を備える第２の表示装置の第２の他の部材は必ずしも、図３に示すような配置で無くても良い。例えば、上記第１の表示装置を、リアプロジェクションにより画像を表示する装置とする場合、リアプロジェクション用の透明部材を第１表示部４１として配置する。該リアプロジェクション用の第１表示部４１に画像を投影するためのプロジェクタを、第３表示部４３のさらに奥側（遊技者から見て奥側）に配置しても良い。あるいは、上記第２の表示装置を、プロジェクタ投影（プロジェクションマッピングも含む）により画像を表示する装置とする場合、通常のスクリーンを第３表示部４３として配置し、該スクリーンである第３表示部４３に画像を投影するためのプロジェクタを、第１表示部４１の手前側（遊技者から見て手前側）に配置しても良い。このように、本実施形態では、第１表示部４１を備える第１の表示装置および第３表示部４３を備える第２の表示装置の位置関係は問題では無い。本実施形態で重要なことは、第１の表示装置における実際に画像が表示される物理的な構造物である第１表示部４１と、第２の表示装置における実際に画像が表示される物理的な構造物である第３表示部４３との配置位置であり、図３に示すように、第１表示部４１を手前側に設け、第３表示部４３を奥側に設けることである。
【００１６】第１表示部４１と第３表示部４３との間に配されている第２表示部４２は３次元画像４２１を表示する表示装置である。図３に示す第２表示部４２は概念的なものであり、第１表示部４１と第３表示部４３との間に、３次元画像４２１を表示するための物理的な装置を配置しなくても良い。本実施形態で重要なことは、物理的に配置された（物体として配置された）、第１表示部４１と第３表示部４３との間に３次元画像４２１を投影することである。よって、遊技者から見て、第１表示部４１と第３表示部４３との間に３次元画像４２１が結像されるのであれば、第２表示部４２は他の位置、例えば図の上方又は下方の位置にあっても良い。あるいは、第２表示部４２の少なくとも一部を、第３表示部４３の後ろ側（第３表示部４３の第１表示部４１と反対側）に設けても良い。第２表示部４２は、例えば、ホログラム又はエアリアルイメージング技術等を用いて、３次元画像４２１を表示するように構成されている。なお、３次元画像４２１は、キャラクタ、該キャラクタの一部、所定の物体（木、岩、建物、乗り物など）、メインデジタルの図柄、スロットマシンのリール、気体、液体等、バーチャル表示させたい対象であればどのようなものでも構わない。
【００１７】第１表示部４１は透過率を制御することにより画像表示を行う透過型ディスプレイであるから、表示する画像を変えることにより、可視光の透過率を制御可能である。透過率が低い画像を表示することにより、第１表示部４１は遊技者から第２表示部４２、第３表示部４３を遮蔽することが可能である。第１表示部４１が第２表示部４２、第３表示部４３を遮蔽したり、遮蔽しなかったりすることで、様々な表示演出が可能となる。表示制御部１１は、遊技の進行に応じて、画像ＤＢ１２から適切な画像を抽出する。すなわち、表示制御部１１は、第１表示部４１、第２表示部４２、および第３表示部４３の少なくとも１つを用いて演出したい場面に適した画像を画像ＤＢ１２から読み出し、読み出した画像を第１表示部４１、第２表示部４２、および第３表示部４３の該当する表示部にて表示させる。例えば、第１表示部４１および第３表示部４３にて背景を演出し、第２表示部４２にて所定のキャラクタを演出する場合、表示制御部１１は、画像ＤＢ１２から、第１表示部４１に表示させる第１の背景画像（例えば、木の画像）、第２表示部４２に表示させるキャラクタ画像、第３表示部４３に表示させる第２の背景画像（例えば、山の画像）を取得する。次いで、表示制御部１１は、第１の背景画像を第１表示部４１に表示させ、キャラクタ画像を第２表示部４２に表示させ、第２の背景画像を第３表示部４３に表示させる。また、例えば、第１表示部４１にてキャラクタ画像を演出し、第２表示部４２にて背景を演出し、第３表示部４３では何も表示しない場合、表示制御部１１は、画像ＤＢ１２から、第１表示部４１に表示させるキャラクタ画像、第２表示部４２に表示させる背景画像（例えば、宇宙空間に漂う隕石）を取得する。次いで、表示制御部１１は、キャラクタ画像を第１表示部４１に表示させ、背景画像を第２表示部４２に表示させるが、第３表示部４３には何も表示させない。このように、表示制御部１１は、３つの表示部の少なくとも１つを用いて実現させる所定の場面に応じて、上記３つの表示部のうち用いる表示部に対して適切な画像を表示させるように構成されている。
【００１８】次に表示装置４を用いた表示手法について説明する。図４は本発明の一実施形態に係る表示装置４を用いた表示手法を示すための説明図である。宇宙空間に物体Ｍ１が飛行しているという想定である。図４Ａ、４Ｂ、４Ｃは時間経過による表示の変化を示している。まず、表示制御部１１は、図４Ａに示すように物体Ｍ１を第３表示部４３に表示する。次に、表示制御部１１は、図４Ｂに示すように物体Ｍ１を第２表示部４２に表示する。第２表示部４２での物体Ｍ１の表示は、第３表示部４３での表示よりも大きな表示とする。そして、表示制御部１１は、図４Ｃに示すように、第１表示部４１に物体Ｍ１を表示する。第１表示部４１での物体Ｍ１の表示は、第２表示部４２での表示よりも更に大きな表示とする。このような表示手法を用いることにより、物体Ｍ１が自分に迫ってくるような感覚を遊技者に与えることが可能となる。また、逆の表示手法、すなわち、図４Ｃ、４Ｂ、４Ａの順に表示を行えば、物体Ｍ１が自分より離れていくという感覚を遊技者に与えることが可能となる。また、例えば、物体Ｍ１が奥から手前側に向かってくる途中で所定の動き（奥側から手前側への動きを一旦停止し、その場で物体Ｍ１が旋回するなど）をする場合、所定の動きを視覚させる部分として第２表示部４２を用いると、上記所定の動きを行う物体Ｍ１は３次元画像として遊技者は知覚することになる。従って、遊技者は所定の動きをしている物体Ｍ１についてよりリアルな演出を楽しむことができる。さらに、物体Ｍ１が上記所定の動きを終了して再度手前側への移動を始める際に、上述のように物体Ｍ１の表示領域を第１表示部４１に切り替えることにより、物体Ｍ１の表示領域が、物理的に遊技者側に位置する表示部に移行するので、迫りくる物体Ｍ１の臨場感をより高めることができる。
【００１９】図５は本発明の一実施形態に係る表示装置４を用いた表示手法を示すための説明図である。図５Ａ、５Ｂは時間経過による表示の変化を示している。図５においては、物体Ｍ２、物体Ｍ３が表示されている。遊技者から見て、物体Ｍ２は遠くに位置し、物体Ｍ３は遊技者から見て近くに位置している。そのことから、物体Ｍ２は第３表示部４３に表示し、物体Ｍ３は第１表示部４１に表示している。表示装置４で表された仮想空間において、物体Ｍ２、Ｍ３は共にｖの速さで動いているとする。この場合において、第３表示部４３における物体Ｍ２の速さをｖ１、第１表示部４１における物体Ｍ３の速さをｖ２とした場合、ｖ２の値をｖ１よりも大きくする。図５Ａでは物体Ｍ２は第３表示部４３の右上、物体Ｍ３は第１表示部４１の右上に表示されている。図５Ｂは図５Ａの状態から所定の時間経過後の表示内容を示している。第３表示部４３に表示されている物体Ｍ２は少し移動しているのに対して、第１表示部４１に表示している物体Ｍ３は大きく移動し、一部が画面外となっている。このように、遊技者から見て遠方に位置する動体は、遊技者から見て近くに位置する物体よりも早く動かすことにより、表示装置４に表示されている画像に奥行きがあることを遊技者に感じさせることが可能となる。すなわち、表示制御部１１は、所定の演出（場面）の少なくとも一部において、第１表示部４１、第２表示部４２、第３表示部４３の少なくとも２つに着目し、該着目された少なくとも２つの表示部を用いて上記所定の演出（場面）を表示する場合、該着目された少なくとも２つの表示部のうち遊技者に相対的に近い表示部に表示する物体（動体）の速度が、相対的に遠い表示部に表示する物体（動体）の速度よりも早くなるように、上記着目した少なくとも２つの表示部に対象の物体（動体）を表示させる。
【００２０】図６は本発明の一実施形態に係る表示装置４を用いた表示手法を示すための説明図である。図６Ａ、６Ｂは時間経過による表示の変化を示している。図６Ａにおいて、第１表示部４１は可視光の透過率を低く設定している。そのため、第１表示部４１に表示されている画像のみが遊技者は視認可能となっている。図６Ａに示す画像は、例えば戦闘機や有人人型兵器に搭乗している兵士が、コックピットから格納庫のゲートを眺めた場合の画像である。ゲートの扉６１は閉じている状態である。図６Ｂは図６Ａと同様であるが、ゲートの扉６１が開いている。図６Ｂにおいては、ゲートの扉６１は第１表示部４１に表示し、ゲートの扉６１から見える風景については、第２表示部４２及び第３表示部４３を用いて表現している。例えば、滑走路６２は第２表示部４２で表示し、背景である宇宙空間６３は第３表示部４３に表示する。それにより、滑走路６２が前方に延びていることを表現可能である。図６Ａから図６Ｂのような表示変化を起こすことにより、画像に奥行き感があることについて、遊技者に強い印象を与えることが可能となる。あるいは、相対的に近い位置に存在するゲートの扉６１および滑走路６２を第１表示部４１にて表示し、宇宙空間６３を第３表示部４３に表示しても良い。この場合、機体が飛び立つときは、表示制御部１１は、滑走路６２のライト６２ａが相対的に早い速度で手前に向かって移動するように第１表示部４１に画像を表示する。これにより、滑走路６２が迫ってくる映像が映しだされ、プレイヤは疾走感を感じることができる。このとき、表示制御部１１は、第３表示部４３に映し出されている宇宙空間６３の物体（星や惑星など）を、第１表示部４１にて早く移動している物体（例えば、滑走路６２、ライト６２ａ）よりもゆっくりと動かす。これにより、３層構造にて表示されている空間において、２つの物理的に離間して配置した表示部により、近いものほど早く見え、遠くにあるものほど遅く見えるという状況を形成することができ、さらに奥行き感を出すことができる。すなわち、表示制御部１１は、物理的に離間した配置された２つの表示部において、遊技者に近い方に配置された表示部により、ある場面において近い側を演出するために該ある場面の所定の物体の速度を相対的に速くし、遊技者に遠い方に配置された表示部により、上記ある場面において遠い側を演出するために該ある場面の別の所定の物体の速度を相対的に遅くしている。別の観点から説明すると、図６Ａ、６Ｂにおいては、遊技者は上記コックピットに登場した兵士として表示装置４にて形成される映像領域において仮想的に存在することになり、図６Ｂの場面では、遊技者が登場した人型兵器が滑走路６２を滑走しているものである。上記滑走においては、人型兵器（すなわち、遊技者）は、図６Ｂの手前側から奥側に向かって移動するわけだが、その移動感を奥行き感を出しながら遊技者に知覚させるために、第２表示部４２において、ライト６２ａを図６Ｂの奥側から手前側、すなわち、人側兵器の移動方向と反対側に移動させる。一方、宇宙空間６３における星、惑星なども、図６Ｂの奥側から手前側（人型兵器の移動方向と反対側）に移動させる。このとき、表示制御部１１は、上記人型兵器の移動方向と反対側に移動しているように見えるライト６２ａを第２表示部４２にて相対的に速く表示させ、上記移動方向と反対側に移動しているように見える宇宙空間６３内の星や惑星を第３表示部４３にて相対的に遅く表示させる。
【００２１】次に、遊技者の動きに応じた画像表示について述べる。撮影部６は遊技者を撮影し、画像処理部１３に出力を行う。画像処理部１３はパターンマッチングなどの画像処理により主として遊技者の頭部のトラッキングを行う。画像処理部１３は遊技者の頭部の動きに関する情報を表示制御部１１に出力する。表示制御部１１は遊技者の頭部の動き（横方向への並進移動、その場を中心とした回転移動、あるいは並進移動および回転移動の融合、すなわち、頭部の位置および向きの少なくとも一方）に応じて、表示装置４に表示する画像を変化させる。
【００２２】図７は本発明の一実施形態に係る遊技者の頭部の動きに応じた表示画像の変化を示す説明図である。図７は有人人型兵器のコックピットから眺めた場合の画像である。図７に示す例においては、該有人人型兵器の頭部に上記コックピットが設けられていると仮定する。画像にはコックピットの計器類７１、人型兵器の腕７２、敵機７３が示されている。例えば、表示制御部１１は、計器類７１、人型兵器の腕７２を第１表示部４１に表示させ、敵機７３及び背景画像を第３表示部４３に表示させる。また、図７Ａにおいては視界に入っていないため点線で示しているが、右側に味方の人型兵器７４が存在している。図７Ｂは遊技者が頭部を左に動かし（あるいは、右側を向くように頭を回転させ）右側を見ようとした場合に表示される画像を示している。図７Ｂは、上記有人人型兵器のコックピットが設けられた頭部を回転して該有人人型兵器の右側を上記コックピットから見た時の映像である。図７Ａよりも右側が見えているため敵機７３、人型兵器の腕７２は相対的に画像の左側に動いている。そして、図７Ａの状態では視界に入っていなかった味方の人型兵器７４が視界に入ってきている。ここで、画像処理部１３が撮影部６からの撮影結果に応じて遊技者の頭が図７の向かって左側に動いたことを検知すると、表示制御部１１は、第３表示部４３に表示された敵機７３を図７Ｂに示すように変位させると共に、味方の人型兵器７４を第２表示部４２に表示させる。これにより、敵機７３よりも近い位置に味方の人型兵器７４が居るという臨場感ある視覚効果を遊技者に与えることが可能となる。なお、図７の場合において、画像を変化させる場合、３つの表示部が連動させることにより、遊技者に奥行きのある画像を提供することが可能となる。上述のように、図７Ｂはコックピットが設けられた上記頭部のその場を中心とした回転後の映像であるので、近傍に位置する物体を表示する第１表示部４１に表示している画像は相対的に小さく動かす。一方、遠方に位置する物体を表示する第３表示部４３に表示している画像は相対的に大きく動かす。このことにより、奥行き感を表現することが可能である。また、例えば、図示はしないが、遊技者の頭部の移動に応じて、表示装置４における映像（見え方）を横方向に並進移動させる場合、第１表示部４１、第２表示部４２、および第３表示部４３のうち、手前側の表示部に表示される物体の所定時間内における移動量を、それよりも奥側の表示部に表示される物体の上記所定時間内における移動量よりも大きくする。
【００２３】図８は、本発明の一実施形態に係る遊技者の頭部の動きに応じた表示画像の変化を示す説明図である。図８Ａは前方にある隕石８１のみが視界に入っているだけである。図８Ｂは遊技者の頭部の動きを捉えて、表示画像を変化させた後の画像である。隕石８１の後側を覗きこんだ結果、隕石８１の後方に潜んでいる敵機８２が視界に入るため、図８Ｂに示すような画像となる。ここで、図８Ａにおいて、コックピットの計器類は第１表示部４１に、隕石８１は第２表示部４２に、背景画像を第３表示部４３に表示する。図８Ｂにおいては、計器類及び隕石８１を第１表示部４１に表示し、敵機８２を第２表示部４２、背景画像を第３表示部４３に表示する。このようにすることにより、敵機８２が現れたことについて強い視覚的効果を遊技者に与えることが可能となる。なお、遊技者の頭部の動きを検出する方向は、左右に限らず、上下、前後の動きであっても良い。また、遊技者の頭部の動きだけではなく、視線を検出することにより、表示装置４に表示する画像を変化させても良い。このように、撮影部６により遊技者の頭の位置および向きの少なくとも一方（動き）を検知し、該頭の動きに応じて、第１表示部４１、第２表示部４２、および第３表示部４３の各々にて表示させる画像を上記遊技者の頭の動きに対応する視線からの映像に対応するように変化させている。よって、所定の場面において、視界を変えるために遊技者は頭を動かすだけで、ある視点から外れた領域を、奥行き感が実現された空間内において所望に応じて見ることができる。これは、遊技機の前に座った遊技者の頭（あるいは目線）の位置の変化を検出し、該変化に伴って上記３層表示構造の各表示部での表示内容を変化させる構成とが連動しているからこそ実現できるものである。また、正面から見ると、人型兵器７４の一部しか見えないが、左から見ることにより、人型兵器７４の全体が確認できるという演出も可能である。また、左上から覗きこむように見ることにより、それまで見えなかった人型兵器７４の脚部まで視認できる等、視差を利用した巨大表現が可能となる。
【００２４】次に、表示装置４の表示と遊技の進行とを連動させることについて述べる。図９は本発明の一実施形態に係る遊技の進行を示すフローチャートである。弾球遊技機１００の遊技制御部１４は、通常モードで遊技を開始する（ステップＳ１）。次に、遊技制御部１４は始動口２３に遊技球が入賞したことを検知する（ステップＳ２）。遊技制御部１４は抽選を実行する（ステップＳ３）。遊技制御部１４は抽選結果が大当たりか否かを判定する（ステップＳ４）。抽選結果が大当たりである場合（ステップＳ４でＹＥＳ）、遊技制御部１４は確変大当たりか否かを判定する（ステップＳ５）。確変大当たりの場合（ステップＳ５でＹＥＳ）、遊技制御部１４は、確変大当たりモードで動作する。遊技制御部１４は表示制御部１１に確変大当たりモードの演出を行わせる（ステップＳ６）。次に遊技制御部１４は大当たりを発生させる（ステップＳ７）。遊技制御部１４は発生した大当たりが確変大当たりか否かを判定する（ステップＳ８）。確変大当たりの場合（ステップＳ８でＹＥＳ）、遊技制御部１４は処理をステップＳ６に戻す。確変大当たりでない場合（ステップＳ８でＮＯ）、通常モードに戻る（ステップＳ１）。
【００２５】抽選結果が通常の大当たりの場合（ステップＳ５でＮＯ）、遊技制御部１４は、大当たりモードで動作する。遊技制御部１４は表示制御部１１に大当たりモードの演出を行わせる（ステップＳ９）。確変大当たりモード又は大当たりモードは所定の条件が満たされるまで継続し、その後、通常モードに戻る（ステップＳ１）。抽選結果がハズレの場合（ステップＳ４でＮＯ）、遊技制御部１４は表示制御部１１にハズレ演出を行わせる（ステップＳ１０）。ハズレ演出後、ステップＳ１に戻る。なお、ここに述べた遊技の進行はあくまで一例である。また、通常モード、大当たりモード、確変大当たりモードのいずれであっても、遊技球がなくなれば遊技は終了する。なお、通常モード以外の表示を行うのは大当たり又は確変大当たりの場合に限らない。以下に示すように、リーチや確率変動の前触れを示す場合や、リーチであったが外れた場合、リーチの画面から通常モードの画面に戻る場合に、他の場合と異なる表示を行ってもよい。
【００２６】図１０は、本発明の一実施形態に係る弾球遊技機１００が通常モードである場合の表示例を示すための説明図である。画面中央奥にはロボット９３が配置され、画面の右下及び左下にはバーチャルな役物９１、９２が配置されている。上記のロボット９３は第３表示部４３に表示される。バーチャルな役物は第２表示部４２に表示される。第１表示部４１は遊技球の挙動に応じた表示を行う。例えば、遊技球が始動口２３に入るたびに、炎が現れる表示を行う。
【００２７】図１１は本発明の一実施形態に係る弾球遊技機におけるリーチや確率変動の前触れの表示例を示す説明図である。ここでは、遊技球が始動口２３に入るたびに第１表示部４１に表示している画像にヒビが入る。やがて、ヒビが全体に広がり、音を立てて割れる。このとき、第２表示部に表示している役物も崩れて全てが消失する（図１１では役物の表示は省略している）。このように、本実施形態では、第２表示部４２にて役物をバーチャル表示（立体表示）しているので、遊技の進行に応じて、上記役物としての３次元画像４２１を破壊したり、復活させたり、別のバージョンの役物とすることができる。
【００２８】次に大当たり開始モード時の画面について説明する。大当たり開始モードの時には、図６に示したような画面となる。大当たりの開始を、出撃して戦闘を開始することになぞらえるのである。画面下側に表示されているのは滑走路６２である。滑走路６２は第１表示部４１に表示させる。画面奥側の風景（宇宙空間６３）は第３表示部４３に表示する。出撃する際には、第１表示部４１の画像を早く動かす。これにより、滑走路６２のライトが速い速度で手前に向かって移動し、滑走路６２が迫ってくる画像となり、遊技者は疾走感を感じることが可能となる。このとき、遠くの空を写している第３表示部４３の画像を第１表示部４１の画像よりもゆっくりと動かすことにより、近いものほど早く動き、遠くにあるものほど遅く動いてように見える状況となる。それにより、奥行き感を感じる画像となる。
【００２９】次に大当たりモードの時の画面について説明する。大当たりモードの時の画面例は、上述した図７である。味方と共に敵機７３と戦闘するという演出による高揚感と、遊技状態が大当たりモードであることによる高揚感とが、相乗効果を生み出し、遊技者に新たな興趣を与えることが可能となる。
【００３０】次に確変大当たりモード時の画面について説明する。図１２は本発明の一実施形態に係る弾球遊技機における確変大当たりモード時の表示例を示す説明図である。画面は敵機である人型兵器１２ａ、敵へと飛んでゆく遊技球１２ｂ、発射砲１２ｃが表示されている。遊技球１２ｂは擬似表示であり、実際の遊技球ではない。この場合の演出では、実際の遊技球が始動口２３等のポケットに入るたび、擬似の遊技球１２ｂが人型兵器１２ａへ飛んでゆく演出とする。発射砲１２ｃは追加な武器との想定であり、アツくなっていくたび（当たる確率が高まるたび）に、新たな武装が追加されていく。人型兵器１２ａの攻撃力アップと、確率変動時の確率の高まりとを連動させることにより、遊技者に高揚感を起こさせることが可能となる。なお、遊技球１２ｂは発射砲１２ｃから発射されるという演出でも良い。図１２では発射砲１２ｃは第１表示部４１に、敵機である人型兵器１２ａを第３表示部４３に表示する。遊技球１２ｂは、まず第２表示部４２に表示し、人型兵器１２ａに向かって移動しているように表示する。その後、遊技球１２ｂの表示を第２表示部４２から第３表示部４３に切り替え、遊技球１２ｂが人型兵器１２ａに当たる表示を行う。このようにすることにより、遊技球１２ｂの動きの表示に躍動感を与えることが可能となる。このように、奥行き感が実現された空間において、所定のキャラクタ、物体等を、現実感を出した形で展開するために、本実施形態では、上述の第１表示部４１、第２表示部４２、および第３表示部４３を備える構造が必要となる。本実施形態では、上記第１表示部４１および第３表示部４３により、奥行き感のある空間を形成することができる。例えば、上述のように、あるアニメーションのある場面において、第１表示部４１の映像中のある物体の移動速さを、第３表示部４３の映像中のある物体の移動速さより早くする。これにより、例えば自身が移動している場合に近いものほど早く移動し、遠いものほど相対的に遅く移動して見えるという状況を表示装置４内に作り出すことができ、より奥行き感を出すことができる。また、ある場面において、遊技者に近い位置にある物体を第1表示部４１に表示し、遊技者から遠い位置にある物体を第３表示部４３に表示することにより、奥行き感を出すことができる。このように、第１表示部４１及び第３表示部４３は、遊技者側から筐体の奥側に広がる空間を該遊技者に感じさせるように機能することができる。なお、ここで説明した奥行き感を出すための第１表示部４１および第３表示部４３の機能については、第１表示部４１および第２表示部４２において、第２表示部４２および第３表示部４３において、さらには第１表示部４１、第２表示部４２、および第３表示部４３においても適用できることは言うまでもない。そして、第１表示部４１と第３表示部４３とにより形成された仮想空間内に、これら表示部とは別の画像として３次元画像４２１を配置させることで、まるで無限に広がった空間内に上記３次元画像４２１が存在しているように、遊技者に感じさせることができる。このような効果を奏するために、本実施形態に示す第１表示部４１、第２表示部４２、第３表示部４３を有する３層構造が有用なので��る。さらに、本実施形態では、第１表示部４１、第２表示部４２、および第３表示部４３のいずれも、所定の画像を表示可能な構造物として遊技者側からこの順番で固定配置されている。従って、遊技者と表示装置４との間の距離に関係無く、遊技者は表示装置４にて表示される画像を観覧することができる。
【００３１】（実施の形態２）実施の形態２では、本発明の一実施形態に係るスロットマシン２００について説明する。図１３は、本発明の一実施形態に係るスロットマシン２００を示す斜視図である。スロットマシン２００は表示装置２０１、メダル投入口２０２、スタートレバー２０３、ストップボタン２０４、ベットボタン２０５、メダル排出口２０６、撮影部２０７を含む。表示装置２０１はリールや賭けるメダルの枚数等を表示する。メダル投入口２０２は、メダルを投入するための投入口である。スタートレバー２０３は遊技を開始するためのレバーである。ストップボタン２０４は表示装置２０１に表示されている回転リールを停止するためのボタンである。ここでは、３個のリールが表示される前提としているので、それに対応してステップボタン２０４も３個記載されている。ベットボタン２０５は賭けるメダル枚数を設定するもので、一回押すたびに一枚のメダルを賭けることになる。賭けられるメダルの枚数には制限を設けても良い。そのような場合には、１回押すだけで最大の枚数のメダルを賭ける最大ベットボタンを設けても良い。メダル排出口２０６は抽選結果が役の成立であった場合に、役に応じて払い出されるメダルが排出される。撮影部２０７はＣＣＤカメラ、画像センサなどの画像を撮影するデバイスである。撮影部２０７は、遊技者の動きを検出するために、主として遊技者の頭部を撮影する。
【００３２】図１４は本発明の一実施形態に係るスロットマシン２００のハードウェア構成を示すブロック図である。スロットマシン２００の制御系を主として示している。スロットマシン２００は表示装置２０１、スタートレバー２０３、ストップボタン２０４、ベットボタン２０５、撮影部２０７、遊技制御部２０８、表示制御部２０９、画像ＤＢ２１０、画像処理部２１１を含む。表示装置２０１は実施の形態１における表示装置４と同様な構成であり、第１表示部２０１ａ、第２表示部２０１ｂ、第３表示部２０１ｃの３つの表示部を含む。一例として記載した第１表示部２０１ａ、第２表示部２０１ｂ、第３表示部２０１ｃはそれぞれ、特許請求の範囲においては第２表示部、第１表示部、第３表示部に相当する。
【００３３】表示制御部２０９は、遊技制御部２０８からの指示に従って遊技等のための画像制御情報（リール表示情報、背景画面情報、物体表示画像、３次元表示画像等）を処理・演算することによって、表示装置２０１を適宜動作させる部分である。表示制御部２０９は表示装置２０１に表示する画像を画像ＤＢ２１０から読み出し、表示装置２０１に出力する。画像ＤＢ２０１は動画、静止画を含む種々の画像（リール画像、背景画像、物体表示画像、３次元画像）を記憶する。画像処理部２１１は撮影部２０７が撮影した画像を基に、遊技者の動きの変化を検出する。遊技制御部２０８は、遊技の抽選、該抽選結果に係る払い出しなど遊技を統括的に制御する主制御装置である。遊技制御部２０８は、スタートレバー２０３操作による遊技の開始、抽選の実行、メダルの払出、リールの表示制御等の遊技の進行を司る中心的部分であるが、周知技術により構成可能であるから、具体的な説明は省略する。
【００３４】図１５は、本発明の一実施形態に係るリールの表示手法を示すための説明図である。図１５Ａは通常に表示した例である。図１５Ｂは通常のリール全体を９０度回転させて３つのリールを縦配列にした例である。縦配列にしたことにより、回転するリールの図柄の見え方が異なり、遊技者に新たな興趣を与えることが可能となる。
【００３５】図１６は、本発明の一実施形態に係るリールの表示手法を示すための説明図である。３つのリールのうち、左右のリールは第３表示部２０１ｃに表示している。中央のリールは第２表示部２０１ｂに表示している。図１６の例では、左右のリールが止められた後に、中央のリールがロボット１６１により止められた場面を示している。ロボット１６１は剣をリールに突き刺すことにより、リールを止めている。このような表示とすることにより、リールの停止はロボット１６１の動作によりランダムに行われているように感じ、従来とは異なる興趣を遊技者に与えることが可能となる。
【００３６】図１７は、本発明の一実施形態に係るリールの表示手法を示すための説明図である。図１７Ａはリールが確認できる位置に煙のようなモヤモヤとした気体が立ち込め、リールが一切見えない様子を示している。図１７Ｂは左側のリール付近の気体はなくなり、リールが静止している。中央のリールは一部分がはっきりと見えている状態である。右のリールは未だ気体で隠されている状態である。図１７Ａ又は図１７Ｂに示すモヤモヤとした気体を第１表示部２０１ａに表示する。リールについては第２表示部２０１ｂ又は第３表示部２０１ｃに表示する。また、回転しているリールについては第２表示部２０１ｂに表示し、静止したリールについては第３表示部２０１ｃに表示してもよい。このような表示を行うことにより、新しい興趣を遊技者に与えることが可能となる。
【００３７】図１８は、本発明の一実施形態に係るリールの表示手法を示すための説明図である。リールが複数の欠片から組み立てられる様子を示している。表示装置２０１が３つの表示部を有することを活かし、欠片は奥側又は手前側から飛んでくるような表示を行う。リールが完成した後にリールを回転させる。図１８では、１つのリールしか示していないが、３つのリールとも同じような表示とする。欠片は様々な形を設けても良い。１つのリールが完成した後に、次のリールが組み立てられても良いし、複数のリールが平行して組み立てられても良い。ここでは、停止しているリールの欠片は第２表示部２０１ｂに表示する。飛んでくる欠片を第３表示部２０１ｃに表示してから、第２表示部２０１ｂに表示することにより、奥側から手前側に飛んでくるような表示となる。また、飛んでくる欠片を第１表示部２０１ａに表示してから第２表示部２０１ｂに表示することより、手前側から奥側に飛んで行くような表示となる。このような表示を行うことにより、新しい興趣を遊技者に与えることが可能となる。
【００３８】上述の説明では、スロットマシン２００は３つのリールを有するとしたが、４つ以上のリールを有するとしても良い。また、リールをグループ分けし、各グループに属するリールを表示する表示部を第１表示部２０１ａ、第２表示部２０１ｂ、第３表示部２０１ｃに振り分けても良い。
【００３９】通常リールは３次元形状を有するので、第２表示部２０１ｂを用いて立体画像として表示を行えば、より現実味が溢れた表示を実現することができる。第２表示部２０１ｂを挟むように第１表示部２０１ａ、第３表示部２０１ｃを配置している。これらの３つの表示部を用いることにより、遊技者に奥行き感を感じさせることが可能となるので、上述の表示手法は強い印象を残し、従来にはない新たな興趣を与えることが可能となる。
【００４０】実施の形態２においても、実施の形態１と同様に遊技の状態によって、異なる表示演出を行っても良い。例えば、小役、ボーナス（ビックボーナス、レギュラーボーナス）、集中役の状態に応じて、表示演出を行う。例えば、ボーナスの前触れ時にリーチや確率変動の前触れと同様な表示とする。また、ボーナス時には大当たりと同様な表示とする。集中役時には確率変動中と同様な表示とする。
【００４１】（実施の形態３）実施の形態２ではリールを画像として表示することとしたが、リールは従来のように機械式のものを設け、表示装置は演出表示のみとしても良い。図１９は本発明の一実施形態に係るスロットマシン２００の表示装置２１２の構成を示す説明図である。実施の形態３では、実施の形態２に係るスロットマシン２００において表示装置２０１が、図１９に示す表示装置２１２に入れ替わっている。それ以外のハードウェア構成は、実施の形態２と同様であるから、説明を省略する。
【００４２】表示装置２１２は表示部２１２ａとリール２１２ｂを含む。表示部２１２ａは実施の形態２における表示装置２０１と同様に、第１表示部、第２表示部、第３表示部の３つの表示部を備えている。表示部２１２ａには、実施の形態２と同様に、遊技の状態や状態の変化により、様々な表示演出がされる。それにより、遊技者にこれまでにはない新たな興趣を与えることが可能となる。
【００４３】リール２１２ｂは円筒状のリールを３つ備えている。各リールは、スタートレバー２０３の操作により回転を開始し、各リールに対応したストップボタン２０４の操作により回転を停止する。なお、実施の形態２と同様に、リールの数はこれに限らず、４つ以上であっても良い。
【００４４】（実施の形態４）上述の実施の形態１において、遊技者の動きの変化を捉えて表示装置４の表示内容を変化させることを示した。その場合、遊技者自らの意思で動くことを前提としている。しかし、それに限られず、遊技の状態に応じて「左側から見て下さい」など、遊技者に所定の動きを促す通知を音声又は画像により行っても良い。例えば、遊技の進行状況に応じて「左側から見て下さい」等、遊技者に頭（あるいは目線）を所定の方向に動かせるよう促す通知を、音声または映像により行い、該通知による指示の後に撮影部６により誘導された方向に遊技者の頭が変位したことを検知する場合に、各表示部への表示内容を検知された頭の移動に応じて変化させてもよい。この場合は、例えば、遊技者が頭を左に移動させることを想定した場面のとき、表示制御部１１は、画像処理部１３に遊技者の頭が左に移動したか否かを検知させる。上記頭が左に移動したことが検知されると、表示制御部１１は、遊技者の頭が左に移動したことに対応する画像を各表示部に表示させる。一方、上記頭が左に移動したことが検知されないと、表示制御部１１は、音声、映像などにより、「左側から見て下さい」という通知を遊技者に行う。
【００４５】図２０は本発明の一実施形態に係る弾球遊技機１００での表示変更処理の手順を示すフローチャートである。表示制御部１１は、メッセージ表示を行うか否かを判定する（ステップＳ２１）。
【００４６】ここでの判定は、例えば次のようなものである。連続して抽選結果がはずれ、すなわち、連続して大当たりにならなかった場合において、次の抽選結果が大当たりとなり、リーチ状態の表示を行っているときにメッセージ表示を行うと判定する。また、確変大当たりモードが続いている場合において、メッセージ表示を行うと判定する。弾球遊技機１００の遊技状態は、遊技制御部１４から取得する。メッセージ表示を行わないと判定した場合（ステップＳ２１でＮＯ）、表示制御部１１は処理を終了する。
【００４７】表示制御部１１はメッセージ表示を行うと判定した場合（ステップＳ２１でＹＥＳ）、表示するメッセージの選択を行う（ステップＳ２２）。メッセージは画像ＤＢ１２に画像として記憶しておく。その他の記憶装置（ＲＯＭ、ハードディスクなど）に記憶してもよい。メッセージは、遊技の状態や表示装置４に表示している画像に対応付けて記憶し、選択する際には、遊技の状態や表示装置４に表示している画像に対応付けられたメッセージを選択する。または、遊技の状態などに関係なく、ランダムに選択してもよい。
【００４８】表示制御部１１は選択したメッセージを表示装置４に表示する（ステップＳ２３）。メッセージの表示は、すでに表示している画像にメッセージ画像を重畳されることにより行う。メッセージの表示は、例えば、第１表示部４１で行う。表示制御部１１はタイマを起動する（ステップＳ２４）。タイマは例えば、表示制御部１１に内蔵されている。表示制御部１１は遊技者の動きを撮影部６及び画像処理部１３を用いて、監視する（ステップＳ２５）。動きの監視は撮影部６で遊技者を定期的に撮影し、画像処理部１３が時間的に前後する画像を比較し、その結果を出力する。画像処理部１３が出力した比較結果に基づき、表示制御部１１は遊技者が所定の動作をしたか否かを判定する（ステップＳ２６）。すなわち、メッセージに従った動作をしたか否かを判定する。所定の動作をしたと判定した場合（ステップＳ２６でＹＥＳ）、表示制御部１１はメッセージを消去する（ステップＳ２７）。
【００４９】表示制御部１１は遊技者の動作に併せて、表示装置４に表示している表示内容を変更する（ステップＳ２８）。表示制御部１１は所定時間経過したかをタイマに問い合わせる（ステップＳ２９）。所定時間が経過している場合（ステップＳ２９でＹＥＳ）、表示制御部１１はタイマを停止する（ステップＳ３０）。メッセージが表示された状態であれば、表示制御部１１はメッセージを消去する（ステップＳ３１）。表示制御部１１は処理を終了する。
【００５０】所定時間が経過していない場合（ステップＳ２９でＮＯ）、表示制御部１１は処理をステップＳ２５へ戻す。遊技者が所定の動作をしていないと判定した場合（ステップＳ２６でＮＯ）、表示制御部１１は処理をステップＳ２９へ移す。表示制御部１１は、図２０に示した一連の処理を所定時間毎に読み出し、実行する。
【００５１】上述の処理を行うことにより、遊技者に、メッセージに従い動作することと、抽選結果などが関連しているものと感じさせることが可能となる。上述の前者の例であれば、リーチ状態において、遊技者に動くことによって大当たりとなったと感じさせることが可能となる。後者の例であれば、遊技者に動くことによって、確変大当たりモードが継続したと感じさせることが可能となる。
【００５２】図２１は本発明の一実施形態に係る弾球遊技機１００での表示態様を示す説明図である。「左側から見て下さい」というメッセージ７５が点滅表示されている様子を示している。メッセージに従い、遊技者が左側から見て、より右側を見ようとした場合、図７Ｂに示す表示を行う。
【００５３】上述した実施の形態４の表示手法については、実施の形態２又は３で述べたスロットマシン２００においても、同様に適用可能である。
【００５４】上述において、遊技者がメッセージに従った動作をしなかった場合は、表示内容を変化させないとしたが、それに限らない。遊技者があえてメッセージに従わない動作した場合には、全く異なる画面を瞬間的に表示するなど、遊技者が意外性を感じる表示をしてもよい。
【００５５】実施の形態１における表示装置４及び実施の形態２における表示装置２０１は３つの表示部を備えることとしたが、それに限られない。４つ以上の表示部を備えても良い。この場合、透過型表示装置を複数備えても良い。また、追加する表示部は他の表示部と重なるように配置するのではなく、遊技者から見て横（左右）に配置しても良い。
【００５６】上述では、遊技機の例として、弾球遊技機とスロットマシンとを示したが、これらに限られない。スロットマシン以外のコイン遊技機、ゲームセンターに設置されるアミューズメントゲーム機、カジノに設置されるカジノマシン（カジノ向けスロットマシン、ビデオポーカー、ビデオブラックジャック、ビデオルーレット、ビデオキノなど）等の遊技機であってもよい。
【００５７】２．第２の実施態様以下、本発明の第２の実施態様をその実施の形態を示す図面に基づき具体的に説明する。実施の形態１においては、遊技機の一例としてスロットマシンを示す。
【００５８】（実施の形態１）図２２は実施の形態１に係るスロットマシン１を示す斜視図である。スロットマシン１は、メダル投入口１１、ベットボタン１２、スタートレバー１３、リール１４、ストップボタン１５、表示部１６、プロジェクタ部１７を含む。
【００５９】メダル投入口１１は遊技を行う際に必要なメダルを投入するためのものである。スロットマシン１は所定枚までのメダルを貯留可能なクレジット機能を有している。遊技者は例えば、最大５０枚のコインを予めスロットマシン１に貯留することが可能である。ベットボタン１２は、次のゲームに賭けるメダル枚数を設定するためのボタンである。ベットボタン１２は、１ベットボタン１２１、２ベットボタン１２２、ＭＡＸベットボタン１２３を含む。１ベットボタン１２１は、操作する毎にメダル枚数を１枚増加させる。２ベットボタン１２２は、操作する毎にメダル枚数を２枚増加させる。増加させた枚数が最大枚数を超える場合は、最大枚数となる。ＭＡＸベットボタン１２３は、メダルの最大枚数を賭けてゲームを行う場合に用いる。最大枚数は例えば３枚である。
【００６０】スタートレバー１３はゲームを開始するためのものである。リール１４は３つの円筒状のものを有している。各リール１４は、底面の中心を通る軸周りに回転するようにしてある。リール１４はスタートレバー１３が操作されることに回転を開始する。各リール１４の周面には複数種類の図柄がランダムに描かれている。ストップボタン１５は回転しているリール１４を停止させるためのボタンである。ストップボタン１５は、各リール１４に対応する３つのボタンを含む。リール１４が回転しているときに、対応するストップボタン１５を押すと、回転を停止する。表示部１６は、ゲームを演出するため画像や、遊技者に対するメッセージを表示する。
【００６１】プロジェクタ部１７は演出のための画像や、遊技者への操作ガイダンスとなる画像などを出力する。プロジェクタ部１７は、プロジェクタ１７１、雲台１７２を含む。プロジェクタ１７１は画像を外部に投影する役目を担う。プロジェクタ１７１は例えば、液晶プロジェクタ、ＣＲＴプロジェクタである。雲台１７２は電動雲台であり、制御によりパン、チルトの二軸の制御が可能である。プロジェクタ部１７はスロットマシン１付近の広い範囲に画像を投影可能となるような位置に設置されることが望ましい。例えば、図２２に示すようにスロットマシン１の天板に設置する。または、スロットマシン１のリール１４又は表示部１６の近傍に内蔵してもよい。内蔵する場合において、雲台の収納スペースがないときは、ミラーやプリズムなどの光学系により、投影方向を変えられるようにしても良い。さらにまた、プロジェクタ部１７をスロットマシン１上方の天井に設置しても良い。なお、本発明では、プロジェクタ部１７の設置位置が本質では無い。
【００６２】次に、スロットマシン１の制御系について、説明する。図２３はスロットマシン１の制御系のハードウェア構成を示すブロック図である。制御系は、主制御部１８、副制御部１９を含む。主制御部１８は所謂メイン基板に相当するもので、主に内部抽選を司り、入賞に係わる制御を行なう。また、主制御部１８はリール制御、入賞した場合の払い制御なども行う。主制御部１８はＣＰＵ（Ｃｅｎｔｒａｌ  Ｐｒｏｃｅｓｓｉｎｇ  Ｕｎｉｔ）１８１、ＲＯＭ（Ｒｅａｄ  Ｏｎｌｙ  Ｍｅｍｏｒｙ）１８２、ＲＡＭ（Ｒａｎｄｏｍ  Ａｃｃｅｓｓ  Ｍｅｍｏｒｙ）１８３、入出力インタフェース１８４、送信部１８５を含む。
【００６３】ＣＰＵ１８１はＲＯＭ１８２に記憶された制御プログラムに従いハードウェア各部を制御する。ＲＡＭ１８３は例えばＳＲＡＭ（Ｓｔａｔｉｃ  ＲＡＭ）、ＤＲＡＭ（Ｄｙｎａｍｉｃ  ＲＡＭ）、フラッシュメモリである。ＲＡＭ１８３はＣＰＵ１８１によるプログラムの実行時に発生するデータを一時的に記憶する。入出力インタフェース１８４は、スロットマシン１各部からの信号を受け付け、又は各部へ信号を出力する。例えば、入出力インタフェース１８４はベットボタン１２、スタートレバー１３、ストップボタン１５の出力を受け付ける。また、入出力インタフェース１８４は、リール１４を回転・停止するための制御信号をリール１４の駆動部（図示しない）に出力する。送信部１８５は、リール１４の動作状況、内部抽選の結果など、ゲームの状況を副制御部１９に送信する。
【００６４】副制御部１９は所謂サブ基板に相当するもので、ゲームの演出、例えば、表示部１６にする画像の表示制御、プロジェクタ部１７により投影する画像の制御を行う。副制御部１９はＣＰＵ１９１、ＲＯＭ１９２、ＲＡＭ１９３、画像ＤＢ（Ｄａｔａ  Ｂａｓｅ）１９４、画像出力部１９５、雲台制御部１９６、受信部１９７、センサインタフェース１９８を含む。ＣＰＵ１９１はＲＯＭ１９２に記憶された制御プログラムに従いハードウェア各部を制御する。ＲＡＭ１９３は例えばＳＲＡＭ、ＤＲＡＭ、フラッシュメモリである。ＲＡＭ１９３はＣＰＵ１９１によるプログラムの実行時に発生するデータを一時的に記憶する。画像ＤＢ１９４は演出に用いる静止画像、動画像を記憶している。画像出力部１９５はプロジェクタ１７１が投影する画像を出力する。雲台制御部１９６は雲台１７２を制御し、プロジェクタ１７１が投影する画像の投影位置を制御する。受信部１９７は主制御部１８の送信部１８５から送信されたゲームの状況を受信する。ここで、ゲームの状況とは、抽選結果、ゲーム状態（通常ゲーム、ボーナスゲームなど）を含む。センサインタフェース１９８は、タッチセンサ４１、キネクト（登録商標）４２、光学センサ４３、湿度センサ４４など各種センサからの信号を受け取る。
【００６５】次に、スロットマシン１の演出について具体例を示す。
【００６６】（遊技者に画像投影）図２４はプロジェクタ部１７による演出の一例を示す説明図である。図２４は遊技者がストップボタン１５を押そうとしている場面である。遊技者の手Ｈの甲には血管Ｈ１が浮き出ているかのように見える映像が、プロジェクタ１７１から投影されている。このような演出は、例えば、ボーナスゲームに移行した場合に行い、遊技者と遊技機との融合が実現し、興趣を高めることが可能となる。なお、遊技者の手Ｈに適格に画像を投影するために、キネクト４２を用いる。キネクト４２により、遊技者の手Ｈの形状及び位置を取得し、取得した形状及び位置に基づいて、公知のプロジェクションマッピングにより、プロジェクタ１７１から遊技者の手Ｈに画像を投影する。遊技者の手Ｈの位置や形状の計測は、レーザレーダや、レーザ式レンジファインダなどを用いて行っても良い。また、カメラで取得した画像を解析することにより、遊技者の手Ｈの位置や形状を取得してもよい。
【００６７】次に、心拍数による演出の選択について説明する。図２５は演出強度テーブルのレコードレイアウトの一例を示す説明図である。演出強度テーブルは、心拍数欄、演出強度欄を含む。心拍数欄は演出強度と対応付ける心拍数の範囲を記憶する。演出強度欄は心拍数と対応する演出強度を記憶する。演出強度とは、遊技者の気分を高揚させる度合いに応じて、変化させる演出の強度である。例えば、複数のキャラクタの中から、強いキャラクタを演出に登場させれば強度は高くなり、弱いキャラクタを登場させれば強度は弱くなる。稲妻や雷などの映像や音を用いれば強度は高くなる。また、表示する文字を大きくすれば強度は高くなり、表示する文字を通常又は小さくすると強度は低くなる。図２５に示す強度は数字が大きいほど、強度が高いものとする。図２５に示す例では、遊技者の心拍数が大きくなるほど、演出強度を高めるようにしてある。
【００６８】図２６は演出強度対応テーブルのレコードレイアウトの一例を示す説明図である。演出強度対応テーブルは、演出強度欄、演出欄を含む。演出強度欄は演出強度を記憶する。演出欄は演出強度に対応した演出の識別子を記憶する。例えば、演出強度２の演出を行いたい場合は、演出Ｂを実行すれば良い。図２６に示した例では、１つの演出強度に対して、１つの演出が対応しているが、それに限らない。１つの演出強度に対して、複数の演出が対応しても良い。
【００６９】図２７は演出選択処理の処理手順の一例を示すフローチャートである。副制御部１９のＣＰＵ１９１は、心拍数を取得する（ステップＳ２１）。心拍数の取得は、例えば、光学センサ４３を用いて行う。ストップボタン１５又はストップボタン１５の近辺で、遊技者の指先がよく触れる箇所に光学センサ４３を設置する。指先が光学センサ４３に触れると脈拍を検出できる。通常、脈拍数と心拍数とは一致するので、検出した脈拍の数値を心拍数の値とする。ＣＰＵ１９１は演出の選択を行う（ステップＳ２２）。ＣＰＵ１９１は取得した心拍数に対応する演出強度を演出強度テーブルより取得する。ＣＰＵ１９１は取得した演出強度に対応した演出のＩＤを演出強度対応テーブルより取得する。ＣＰＵ１９１は取得した演出のＩＤに対応した演出に変更し（ステップＳ２３）、処理を終了する。既に演出が行われている場合は、行われている演出を中止し、演出を変更する。または、既に行われている演出を終了後に演出を変更する。図２７に示す演出選択処理は、所定時間毎に実行される。
【００７０】上述では心拍数に基づいて演出の変更を行ったが、それに限らない。同様に血圧や発汗により変更を行っても良い。血圧は例えば、光学センサ４３を用いて計測する。発汗については、湿度センサ４４を用いて計測する。なお、演出強度テーブル、演出強度対応テーブルは、画像ＤＢ１９４又はＲＯＭ１９２に記憶する。また、ホールコンピュータから取得して、ＲＡＭ１９３に記憶しても良い。
【００７１】画像を投影する場所は、遊技者の手に限らず、上半身や足などであっても良いし、全身に投影してもよい。すなわち、遊技者の身体の少なくとも一部に画像を投影すれば良い。また、投影する画像として、演出に登場するキャラクタの服装や身体特徴についての画像を用いても良い。それにより、遊技者は演出に登場するキャラクタと一体感を感じ、演出の世界へ入り込むことで、より興趣を高めることが可能となる。
【００７２】（投影板に画像投影）画像を投影する箇所は、スロットマシン１のみではなく、スロットマシン１に付随して設置されているものでも良い。図２８は投影板２の一例を示す説明図である。投影板２は略矩形板状をなし、板面が垂直となるように配置されている。投影板２は、スロットマシン１の左右両側にそれぞれ配置されている。投影板２は移動可能となっており、遊技者から見て、端面がスロットマシン１の前面と同じか後ろに位置する収納状態と、端面がスロットマシン１の前面よりも突出した位置となる使用状態とがある。投影板２が使用状態となっているときは、遊技者の脇を仕切ることになる。投影板２は透明な材質、例えばアクリル樹脂やペット樹脂で形成する。投影板２の板面のうち、遊技者に近い面は光を反射する透明特殊シートが貼付されている。この透明特殊シートは、遊技者から見て近い面から入射した光は反射するが、他面から入射した光は透過する性質を持っている。透明特殊シートの一例はリアプロジェクションフィルムである。また、投影板２は、透明状態と不透明状態との切り替えが可能な液晶表示装置で構成してもよい。このような液晶表示装置を用いる場合は、画像が投影されているときは、不透明状態とし、そうでないときは、透明状態とすれば良い。
【００７３】さらまた、スロットマシン１においては、通常、隣の遊技者との間に、透明な分煙ボードが設置されている。この分煙ボードに上述の透明特殊シートを貼り、投影板２として用いても良い。
【００７４】投影板２に演出画像を投影することにより、遊技者から見て正面にあるスロットマシン１の表示部１６に表示された画像と、左右にある投影板２に表示された画像とにより、遊技者により強い印象を与えることが可能となり、興趣を高めることが可能となる。
【００７５】投影板２は収納状態と使用状態とがあると述べた。これらの状態の遷移を電動制御で行う例を次に示す。図２９は副制御部１９の構成を示すブロック図である。図２９に示す副制御部１９は図２３に示したものに投影板インタフェース１９９が追加されている。図２９において、図２３と同様な構成は同じ符号を付し、説明を省略する。投影板インタフェース１９９は、投影板２を制御するための信号をやり取りする。図３０は投影板２及び投影板制御部２４のハードウェア構成を示すブロック図である。投影板２はモータ２２、リミットスイッチ（「リミットＳＷ」と記す）２３を含む。投影板制御部２４は制御部２４１、モータドライバ２４２、入出力インタフェース２４３を含む。図３０では可動する板状部は記載を省略している。また、板状部を移動させるための機構部についても省略している。
【００７６】モータ２２は、板状部を移動させるために機構部に動力を与える。機構部は、ラックとピニオン、ボールねじなどである。また、モータ２２と機構部が一体となったリニアアクチュエータでも良い。リミットＳＷ２３は、板状部が収納状態の位置にあるか、または使用状態の位置にあるかを検出する。リミットＳＷ２３は各位置に設けるので、各投影板２につき２つのリミットＳＷ２３を備える。より位置を細かく検出するために、３つ以上のリミットＳＷ２３を設けても良い。制御部２４１はモータドライバ２４２を制御して、投影板２を収納状態の位置から使用状態の位置へ移動させる。また、制御部２４１はモータドライバ２４２を制御して、投影板２を使用状態の位置から収納状態の位置へ移動させる。モータドライバ２４２は制御部２４１の指令により、モータ２２に駆動電流を供給する。入出力インタフェース２４３はリミットＳＷ２３からの信号を受け取る。また、入出力インタフェース２４３は、副制御部１９からの信号を受け取る。副制御部１９からの信号により、制御部２４１は投影板２の状態を変化させる。
【００７７】図３１は投影板制御処理の処理手順の一例を示すフローチャートである。副制御部１９のＣＰＵ１９１は遊技状態を取得する（ステップＳ３１）。ＣＰＵ１９１は遊技状態がボーナスゲームであるか否かを判定する（ステップＳ３２）。ＣＰＵ１９１はボーナスゲームであると判定した場合（ステップＳ３２でＹＥＳ）、投影板２を使用状態に移行させる（ステップＳ３３）。ＣＰＵ１９１は演出の変更を行う（ステップＳ３４）。ＣＰＵ１９１は、投影板２に映像が投影可能な演出を行う。ＣＰＵ１９１は遊技状態がボーナスゲームでないと判定した場合（ステップＳ３２でＮＯ）、演出の変更を行う（ステップＳ３５）。ＣＰＵ１９１は、投影板２へ映像を投影しない演出に変更する。ＣＰＵ１９１は、投影板２を収納状態に移行させる（ステップＳ３６）。図３１に示す投影板制御処理は、図２７に示す演出選択処理とは別に、所定時間毎に実行する。または、演出選択処理の中で、演出内容に合わせて、投影板２の制御を行っても良い。
【００７８】上述の例では、投影板２を遊技者の左右に設けているが、それに限らない。遊技者の上方にも、投影板２を設けても良い。図３２は遊技者の上方に投影板４を設けている場合のスロットマシン１を示す斜視図である。図３２に示すスロットマシン１は、天板に設けてあるプロジェクタ１７１に加えて、正面に２つのプロジェクタ１７３を備えている。図３２に示すように、投影板４の上面にはプロジェクタ１７１からの映像が投影され、遊技者は投影板４の下面から映像を見ることが可能である。左右のプロジェクタ１７３それぞれは、投影板２に映像を投影する。例えば、右のプロジェクタ１７３は右の投影板２に映像を投影し、左のプロジェクタ１７３は左の投影板２に映像を投影する。または、右のプロジェクタ１７３は左側の投影板２に映像を投影し、左のプロジェクタ１７３は右側の投影板２に映像を投影するようにしても良い。上述のように、本実施形態では、所定のタイミング（例えば、ボーナスゲーム時）で収納状態にある投影板２を使用状態に変位させ、プロジェクタ１７１により投影板２に映像を投影させる。この使用状態にある投影板２は上記所定のタイミングに紐づいた演出（投影板２を用いた演出）の終了後には収納状態に変位させる。よって、従来のスロットマシンと同様に、表示部１６による演出を楽しんでいる遊技者は、所定のタイミング時に突然張り出してきた投影板２による映像を体験することになる。例えば、スロットマシン１の演出の１つにロボットが登場する場合、あるタイミング時に投影板２を、遊技者を取り囲むように自動的に配置し、突然出現した当該投影板２に対してコックピットの内部映像を投影し、表示部１６には該コックピットから外を眺めた風景を投影する。そして、コックピットの内部シーンの終了時には、投影板２を収納状態に移行させ、コックピット再現環境を終了させる。これにより、遊技者は、まるで自分がコックピット内部にいるような体験を得ることができる。このように、表示部１６における演出内容を該表示部１６から遊技者の周囲に拡張した形で演出を該遊技者に体感させることができ、遊技者をスロットマシン１により演出される世界観により没入させることができる。
【００７９】（押し順ナビ）押し順ナビとは、小役が成立しているにも関わらず、遊技者が決められた押し順通りにストップボタン１５を押さなければ、絵柄を揃えることができない場合（アシストタイム）において、遊技者にストップボタン１５の押し順を通知する機能である。
【００８０】図３３はプロジェクタ部１７による押し順ナビを示す説明図である。表示部１６にはストップボタン１５を押す順番を示す数字１６ａが表示されている。図３３に示す例では、真ん中のストップボタン１５、右のストップボタン１５、左のストップボタン１５の順に押すように促す表示となっている。そして、最初に押すべきボタンが分かり易いように、真ん中のボタンに対応する数字１６ａは、左右の数字１６ａより大きめに表示されている。さらに、プロジェクタ１７１は真ん中のストップボタン１５付近をスポットライトのように照らしている。これにより、ユーザが確実に真ん中のストップボタン１５を押すように促している。
【００８１】図３４は押し順ナビ処理の処理手順の一例を示すフローチャートである。副制御部１９のＣＰＵ１９１は、主制御部１８より押し順を取得する（ステップＳ４１）。ＣＰＵ１９１はループ変数ｉに３を設定する（ステップＳ４２）。３とするのは、ステップボタン１５が３つだからである。ＣＰＵ１９１は（４−ｉ）番目に押すボタンを表示する（ステップＳ４３）。ＣＰＵ１９１はストップボタン１５が押された否かを判定する（ステップＳ４４）。ＣＰＵ１９１はストップボタン１５が押されていないと判定した場合（ステップＳ４４でＮＯ）、ステップＳ４４を繰り返す。ＣＰＵ１９１は、ストップボタン１５が押されたと判定した場合（ステップＳ４４でＹＥＳ）、ループ変数ｉを１減算する（ステップＳ４５）。ＣＰＵ１９１はループ変数ｉが０を越えているか判定する（ステップＳ４６）。ＣＰＵ１９１はループ変数が０を越えていると判定した場合（ステップＳ４６でＹＥＳ）、処理をステップＳ４３に戻す。ＣＰＵ１９１はループ変数ｉが０以下であると判定した場合（ステップＳ４６でＮＯ）、処理を終了する。図３４に示すフローにおいて、遊技者が正しいストップボタン１５を押さなかった場合には、その時点で押し順ナビ処理を終了する。
【００８２】なお、プロジェクタ部１７で画像を投影する対象（場所）は、遊技者の身体、投影板２、スロットマシン１の筐体に限られない。スロットマシン１が設置されているホールの床や天井などに投影してもよい。例えば、ボーナスゲームとなった場合に、遊技者の足の位置を検知し、足が置かれている床の周辺領域に、魔法陣の画像を表示する。このように、投影のときに足の位置を検知し、その検知された領域を含むようにプロジェクタによる投影を行うことにより、遊技者の足がどこにあっても、魔法陣上に足が存在するように演出することが可能となる。遊技者の足の位置の検知は、例えば、カメラによって撮影した画像よりパターンマッチングを用いて行う。手の位置や形状の計測と同様に、レーザレーダや、レーザ式レンジファインダなどを用いても良い。
【００８３】また、プロジェクタ部１７による投影画像により、スロットマシン１の筐体をデコレーションすることが可能である。この場合は、プロジェクタ部１７をスロットマシン１の筐体に映像を投影可能な位置に設ければ良い。これにより、スロットマシン１のコンテンツが変わっても、筐体、すなわちハードを変更することなく、機種変更に対応することが可能となる。さらに、スロットマシン１の筐体のデザインや色の好み、演出に対する嗜好は国や地域によっても異なる。プロジェクタ部１７によりスロットマシン１の筐体をデコレーションすることにより、同じコンテンツでも対応する国や地域の好みに合わせて、投影画像を変えた複数のデコレーションパターンを設けることが可能となる。このため、対応する国や地域毎に筐体を作り替える必要がなく、同一の仕様で様々な国や地域の遊技者の要望に適応したスロットマシン１を提供することが可能となる。
【００８４】従来技術では、筐体のデコレーションを複数のランプを用いて行うため、一部のランプが故障した場合には、他のランプは正常稼働していても、筐体自体の稼働を停止して補修しなければならなかった。しかし、上述のように映像を投影する構成であれば、プロジェクタ部１７が正常に稼働していれば、デコレーションの一部に不具合が発生することはないので、従来技術と比較して、長期に亘り部品交換等のメンテンナンスが不要となる。また、プロジェクタ部１７によりスロットマシン１の筐体自体（盤面）に映像を投影することにより、上記筐体自体（筐体の少なくとも一部）を演出の一部に用いることができる。例えば、大当たりを期待させる演出の際には、プロジェクタ部１７によって期待感を向上させる映像を投影することによって、遊技者はスロットマシン１の筐体全体による今までに無い演出を楽しむことができる。あるいは、表示部１６にて表示されている演出と連動して、該表示部１６での演出を拡張した映像を筐体に投影しても良い。このとき、表示部１６による映像出力を中止し、プロジェクタ部１７のみによる投影であっても良いし、プロジェクタ部１７による投影画像の一部を表示部１６による映像としても良い。このようにすることで、例えば、ある演出時に表示部１６に表示されている情景について、所定のタイミング時に表示部１６にて映し出されている情景のさらに周囲のシーンをも遊技者に見せることができる。すなわち、所定のタイミング時に、遊技者に見せられる映像領域を表示部１６の面積に依拠した領域から拡大することができ、遊技者に対して今までにないスロットマシン１による映像体験を与えることができる。
【００８５】プロジェクタ部１７が投影する画像は、ゲームに関係する画像に限られない。スロットマシン１が設置されているカジノや、カジノを含むアミューズメントホテルに関するコンテンツ、例えば店舗の広告やイベントのお知らせを、プロジェクタ部１７に投影させても良い。このようなコンテンツはスロットマシン１の画像ＤＢ１９４に記憶しておいても良いし、スロットマシン１の外部から入力しても良い。また、プロジェクタ部１７により、投影板２にテレビ映像を投影することにより、遊技者はテレビを見ながらゲームを行えるようにしても良い。
【００８６】上述において、スロットマシン１が備えるプロジェクタ部１７の制御は、スロットマシン１に内蔵された副制御部１９が行うこととしている。しかし、それに限らず、プロジェクタ部１７が、自らを制御する制御部を内蔵していても良い。このような構成では、外部から情報を内部の制御部に入力することが行えないスロットマシンの規制を回避することが可能である。そして、プロジェクタ部１７が内蔵する制御部という外部からの指示により、画像による演出をカスタマイズすることが可能となる。
【００８７】（実施の形態２）実施の形態２においては、遊技機の一例として弾球遊技機を示す。図３５は弾球遊技機３を示す正面図である。弾球遊技機３（遊技機）は、遊技盤３１、ハンドル３２、表示部３３、ガラス枠ユニット３４、プロジェクタ部３５を含む。遊技盤３１には複数の釘３１ａ、風車３１ｂ、始動口（スタートチャッカ）３１ｃ、大入賞口（アタッカ）３１ｄが設けられている。ハンドル３２は遊技球の射出を制御するために用いられ、回転角度により弾球の射出速度が変化する。ハンドル３２には図示しない接触センサ、生体センサが取り付けられており、遊技者がハンドル３２に触れていることや、遊技者の血圧、脈拍、発汗が計測可能となっている。表示部３３は、遊技盤３１の後方に配されている。表示部３３は、遊技球の入賞や、入賞により行われた抽選の様子、結果を示す画像、遊技の進行に応じた演出などを表示する。ガラス枠ユニット３４はガラスが嵌められており、遊技盤３１を覆っている。遊技盤３１は透明板状をなしている。遊技盤３１は透明な部材であるため、遊技盤３１の後方に配されている表示部３３に表示される画像を遊技者は視認可能となっている。なお、生体センサの一例は、実施の形態１に示した通りである。
【００８８】プロジェクタ部３５は演出のための画像や、遊技者への操作ガイダンスとなる画像などを出力する。プロジェクタ部３５は、プロジェクタ３５１、雲台３５２を含む。プロジェクタ３５１は画像を外部に投影する役目を担う。プロジェクタ３５１は例えば、液晶プロジェクタ、ＣＲＴプロジェクタである。雲台３５２は電動雲台であり、制御によりパン、チルトの二軸の制御が可能である。プロジェクタ部３５は弾球遊技機３付近の広い範囲に画像を投影可能となるような位置に設置されることが望ましい。例えば、図３５に示すように弾球遊技機３の天板に設置する。
【００８９】次に、弾球遊技機３の制御系について、説明する。図３６は弾球遊技機３の制御系のハードウェア構成を示すブロック図である。制御系は、主制御部３６、副制御部３７を含む。主制御部３６は所謂メイン基板に相当するもので、主に内部抽選を行い、入賞や特賞に係わる制御を行う。また、主制御部１８は始動口３１ｃ、大入賞口３１ｄの開閉制御、入賞した場合の払い制御なども行う。主制御部３６はＣＰＵ３６１、ＲＯＭ３６２、ＲＡＭ３６３、入出力インタフェース３６４、送信部３６５を含む。
【００９０】ＣＰＵ３６１はＲＯＭ３６２に記憶された制御プログラムに従いハードウェア各部を制御する。ＲＡＭ３６３は例えばＳＲＡＭ、ＤＲＡＭ、フラッシュメモリである。ＲＡＭ３６３はＣＰＵ３６１によるプログラムの実行時に発生するデータを一時的に記憶する。入出力インタフェース３６４は、弾球遊技機３各部からの信号を受け付け、又は各部へ信号を出力する。例えば、入出力インタフェース３６４は始動口３１ｃ、大入賞口３１ｄへの遊技球の入賞を検知する始動口センサからの信号を受け付ける。送信部３６５は、内部抽選の結果など、ゲームの状況を副制御部３７に送信する。
【００９１】副制御部３７は所謂サブ基板に相当するもので、図柄や音声、ランプ等の制御を行う。副制御部３７は、ＣＰＵ３７１、ＲＯＭ３７２、ＲＡＭ３７３、画像ＤＢ（Ｄａｔａ  Ｂａｓｅ）３７４、画像出力部３７５、雲台制御部３７６を含む。
【００９２】ＣＰＵ３７１はＲＯＭ３７２に記憶された制御プログラムに従いハードウェア各部を制御する。ＲＡＭ３７３は例えばＳＲＡＭ、ＤＲＡＭ、フラッシュメモリである。ＲＡＭ３７３はＣＰＵ３６１によるプログラムの実行時に発生するデータを一時的に記憶する。
【００９３】画像ＤＢ３７４は演出に用いる画像データが記憶してある。画像ＤＢ３７４に記憶する画像は静止画、動画を問わない。また、音声データを含んでいても良い。画像出力部３７５はプロジェクタ３５１が投影する画像を出力する。雲台制御部３７６は雲台３５２を制御し、プロジェクタ３５１が投影する画像の投影位置を制御する。受信部３７７は主制御部３６の送信部３６５から送信されたゲームの状況を受信する。ここで、ゲームの状況とは、抽選結果、ゲームの状態（通常状態、大当たり状態、確変大当たりなど）を含む。
【００９４】次に、弾球遊技機３の演出について具体例を示す。
【００９５】（遊技者に画像投影）図３７はプロジェクタ部３５による演出の一例を示す説明図である。図３７では弾球遊技機３のハンドル３２を遊技者が操作している場合において、腕Ｈの一部（Ｈ２で示す手首から手先付近の範囲）にプロジェクタ部３５が画像を投影している例である。図３７に示す画像では、遊技者の手の血管が浮き出ているかのように見せることが可能である。このような演出を実行する条件は、例えば、ハンドル３２に取り付けてある生体センサにより、遊技者の脈拍数を計測し、計測した値が所定の閾値を超えた場合とする。脈拍数ではなく、血圧や発汗量でも良い。このような演出は上述したように、抽選結果が大当たりの場合や、リーチ演出を実行する場合に、演出の一部として実行されるものであるが、それに限らない。抽選結果や遊技の状態に関わらず、脈拍数などが閾値を超えた場合には必ず行うようにしても良い。なお、遊技者の手Ｈに適格に画像を投影するために、キネクト４２を用いる。キネクト４２により、遊技者の腕Ｈの形状や位置を算出し、公知のプロジェクションマッピングを用いて、プロジェクタ３５１から遊技者の腕Ｈの一部Ｈ２に画像を投影する。遊技者の手の形状計測は、実施の形態１に示したように、キネクト４２以外の技術手段でも構成可能である。
【００９６】なお、遊技者の腕Ｈに画像を投影する場合に、ハンドル３２に設けられた接触センサにより、遊技者がハンドル３２から手を離していることを検出したときは、例えば、ハンドル３２を握るように遊技者を促すメッセージを表示部３３に表示すれば良い。
【００９７】画像を投影する場所は、遊技者の腕に限らず、上半身や足などであっても良いし、全身に投影してもよい。また、投影する画像として、演出に登場するキャラクタの服装や身体特徴についての画像を用いても良い。例えば、弾球遊技機３の表示部３３に宇宙を舞台とする戦闘シーンが表示されている場合には、遊技者の状態（脈拍数、血圧、発汗量）に応じて、遊技者の上半身に戦闘服等の画像を投影する。それにより、遊技者は自らが戦隊の一員としてストーリーに参加している臨場感を味わうことができ、より興趣を高めることが可能となる。
【００９８】（投影板に画像投影）画像を投影する場所は、弾球遊技機３に付随して設置されるものでも良い。ここでは投影板に投影する場合について述べる。なお、投影板の構成は実施の形態１と同様なので、詳しい説明は省略する。
【００９９】弾球遊技機３の演出において、投影板に画像を投影する場合においては、例えば、通常状態においては、投影板は収納状態とする。リーチ状態に移行した場合には、投影板を使用状態に遷移させる。リーチの演出の一部として、表示部３３に表示される画像と一体となって効果を発揮する画像をプロジェクタ３５１から投影板に投影する。リーチ状態である場合に、抽選結果がハズレとなり、通常状態に戻った場合には、投影板を収納状態に戻す。投影板を遷移させる機構は、実施の形態１と同様である。
【０１００】投影板に画像を投影する場合おいては、遊技者の視野のほぼ全てに演出画像を提供することが可能となるので、遊技者に演出の世界に入り込んだ感覚を与えることが可能となる。例えば、宇宙を舞台とする戦闘シーンの画像が投影されている場合においては、遊技者は自らが戦闘機や人型機動兵器のコックピットに乗り込み、戦闘に参加している可能な臨場感を味わうことが可能となる。
【０１０１】また、表示部３３で展開されているストーリーに応じて、投影対象や投影される画像を変えることも可能である。例えば、所定のタイミングで筐体全体を光った剣が貫通することにより、盤面を含めた筐体が二分されるように切り裂かれたイメージを与えることが可能である。このように、プロジェクタ部３５により、盤面や表示部３３を含めた筐体の少なくとも一部に一時的に映像を投影することにより、通常は、筐体として機能する部分を一時的に映像表示領域とすることができる。よって、映像が表示される領域を表示部３３から突然、普段は筐体として活用されている領域まで拡張することができ、遊技者に驚きと、上記ストーリーへの没入感をさらに与えることができる。また、表示部３３上で展開されているストーリーで、所定の指令が発動可能となると所定のキャラクタに対応した上記指令の紋章が遊技者の手に投影され、浮かび上がる構成とすることも可能である。例えば、赤い光が差しこむように紋章を投影することにより、演出効果を高めることが可能である。このような投影は、プロジェクタと遊技者との相対的な位置関係を検知し、光の強度や焦点距離を調節することにより行われても良い。
【０１０２】上述において、弾球遊技機３の備えるプロジェクタ部３５の制御は、弾球遊技機３に内蔵された副制御部３７が行うこととしている。しかし、それに限らず、プロジェクタ部３５それぞれが、自らを制御する制御部を内蔵していても良い。このような構成では、外部から情報を内部の制御部に入力することが行えない弾球遊技機の規制を回避することが可能である。そして、プロジェクタ部３５が内蔵する制御部は外部からの指示により、画像による演出をカスタマイズすることが可能となる。
【０１０３】プロジェクタ部３５が外部からの指示により、演出をカスタマイズ可能な場合であって、戦闘服の画像を投影するときは、遊技者に予め戦闘服の情報を入力させることで、遊技者は自らが好む戦闘服の画像を投影してもらうことが可能となる。このような演出により、遊技者自らがストーリーの中の小隊の一員として、戦闘に参加している臨場感を味わうことが可能となる。
【０１０４】（実施の形態３）実施の形態３では、プロジェクタを用いて来店客を空席に誘導する機能を実現する。図３８は、遊技場システムの一構成例を示す説明図である。遊技場システムは、ホールコンピュータ１０１、島コントローラ１０２、１０３、遊技機１、遊技機３、ネットワークＮ、Ｎ１１、Ｎ１２、Ｎ２１、Ｎ２２を含む。ホールコンピュータ１０１は遊技場に設置された島コントローラ１０２、１０３、遊技機１、遊技機３を含む各種機器を管理している。例えば、ホールコンピュータ１０１は、遊技機１、遊技機３の稼働状況や遊技状況（当たり回数、ボーナスゲーム回数）などを収集し記憶している。島コントローラ１０２は、所定台数の遊技機１を複数管理するものであり、稼働状況や遊技状況を遊技機１より収集し、ホールコンピュータ１０１に送信する。同様に、島コントローラ１０３は、所定台数の遊技機３を複数管理するものであり、稼働状況や遊技状況を遊技機３より収集し、ホールコンピュータ１０１に送信する。遊技機１は例えば、スロットマシンである。遊技機３は例えば、弾球遊技機である。ネットワークＮはホールコンピュータ１０１が他の機器との通信する際に利用される。ネットワークＮ１１、Ｎ１２は、島コントローラ１０２が遊技機１と通信する際に用いられる。ネットワークＮ１１は、主として遊技機１から稼働状況や遊技状況を収集するのに用いられる。ネットワークＮ１２は、主として島コントローラ１０２より遊技機１へ制御情報を送信するのに用いられる。ネットワークＮ２１、Ｎ２２のそれぞれも、ネットワークＮ１１、Ｎ１２と同様である。
【０１０５】ホールコンピュータ１０１は、パーソナルコンピュータ、サーバコンピュータなどである。図３８には島コントローラは２台しか描かれていないが、３台以上でもよい。図３８には、島コントローラ１０２に繋がる遊技機１、島コントローラ１０３に繋がる遊技機３は各２台しか示されていないが、３台以上であっても良い。ネットワークについては、島コントローラの台数、遊技機１、３の台数に合わせて、図３８と同様に設ける。
【０１０６】図３９は遊技機状態管理テーブルのレコードレイアウトの一例を示す説明図である。遊技機状態管理テーブルは島ＩＤ欄、遊技機ＩＤ欄、状態欄を含む。島ＩＤ欄は各島を識別するＩＤを記憶する。遊技機ＩＤ欄は各遊技機を識別するＩＤを記憶する。状態欄は各遊技機の状態を記憶する。状態欄に記憶する状態は、例えばプレー中、休憩、空きである。プレー中は遊技者が着席して、遊技している状態である。休憩は、遊技者がトイレ、食事などのために遊技を中断して、席にいない状態である。空きは、プレーする遊技者がいない状態である。遊技機状態を検出するための情報は遊技機１、遊技機３や、玉貸し装置（台間サンド）より収集すれば良い。また、休憩中については、店員が入力してもよい。
【０１０７】図４０はホールコンピュータ１０１のハードウェア構成の一例を示すブロック図である。ホールコンピュータ１０１はＣＰＵ１０１ａ、ＲＯＭ１０１ｂ、ＲＡＭ１０１ｃ、管理ＤＢ１０１ｄ、通信部１０１ｅを含む。ＣＰＵ１０１ａはＲＯＭ１０１ｂに記憶された制御プログラムに従いハードウェア各部を制御する。ＲＡＭ１０１ｃは例えばＳＲＡＭ、ＤＲＡＭ、フラッシュメモリである。ＲＡＭ１０１ｃはＣＰＵ１０１ａによるプログラムの実行時に発生するデータを一時的に記憶する。管理ＤＢ１０１ｄはホールに設置されている遊技機１、３の稼働状況や遊技状況を記憶する。稼働状況とは、各遊技機１、３の稼働時間、客回転数などである。遊技状況は、弾球遊技機であれば、大当り回数、確変回数、出玉数となどである。スロットマシンであれば、ビッグボーナス回数、レギュラーボーナス回数、メダル払い出し枚数などである。また、管理ＤＢ１０１ｄには、上述の遊技状態管理テーブルを記憶する。
【０１０８】図４１は空席表示処理の処理手順の一例を示すフローチャートである。ホールコンピュータ１０１のＣＰＵ１０１ａは、すべての遊技機１、３の遊技状態を遊技状態管理テーブルから取得する（ステップＳ５１）。ＣＰＵ１０１ａは遊技状態が空きであるか否か判定する（ステップＳ５２）。ＣＰＵ１０１ａは空きであると判定した場合（ステップＳ５２でＹＥＳ）、空き席表示の指示を島コントローラ１０２、１０３…を介して、空き状態である遊技機１、３に送信する（ステップＳ５３）。ＣＰＵ１０１ａは全ての遊技機１、３について遊技状態を確認したか判定する（ステップＳ５４）。ＣＰＵ１０１ａは全ての遊技機１、３について確認したと判定した場合（ステップＳ５４でＹＥＳ）、処理を終了する。ＣＰＵ１０１ａは確認していない遊技機１、３があると判定した場合（ステップＳ５４でＮＯ）、処理をステップＳ５２に戻し、状態の確認が終わっていない遊技機１、３についての処理を行う。ＣＰＵ１０１ａは、遊技機１、３の状態が空きでないと判定した場合（ステップＳ５２でＮＯ）、ステップＳ５４に処理を移す。これ以降にＣＰＵ１０１ａの行う処理は上述の通りである。
【０１０９】空席表示を指示された遊技機１、３は、プロジェクタ部１７、３５を用いて、座席や座席付近の通路を照らす。このとき、プロジェクタ部１７、３５は、例えば、対象遊技機が空席である旨を文字、イラスト、動画等で通知しても良いし、対象遊技機にガイドするような矢印を表示しても良い。あるいは、対象遊技機の相対的に遠い部分から該対象遊技機に向かって所定のシンボルが変位している様を表示しても良い。そのことにより、遊技機選びを行っている遊技者に空きを分かり易く提示することが可能となる。
【０１１０】（実施の形態４）実施の形態４では、島ごとの空き状況に応じて空席表示を行う。実施の形態４と実施の形態３との相違は、空席表示処理の一部である。以下の説明では、実施の形態３との相違を主として説明し、その他については説明を省略する。
【０１１１】図４２は空席表示処理の処理手順の一例を示すフローチャートである。ホールコンピュータ１０１のＣＰＵ１０１ａは、すべての遊技機１、３の遊技状態を遊技状態管理テーブルから取得する（ステップＳ６１）。ＣＰＵ１０１ａは遊技状態と対応付けられた島ＩＤを用いて、島ごとに空き台数を集計する（ステップＳ６２）。空き台数とは空き状態である遊技機１、３の台数である。ＣＰＵ１０１ａはある島を処理対象として、空き台数が所定台数以下であるか否かを判定する（ステップＳ６３）。ＣＰＵ１０１ａは空き台数が所定台数以下であると判定した場合（ステップＳ６３でＹＥＳ）、処理対象となっている島に含まれる遊技機１、３の遊技状態が空きか否かを判定する（ステップＳ６４）。ＣＰＵ１０１ａは遊技状態が空きと判定した場合（ステップＳ６４でＹＥＳ）、島コントローラ１０２，１０３…を介して、遊技機１、３に空席表示を指示する（ステップＳ６５）。空席表示は、実施の形態３と同様である。ＣＰＵ１０１ａは遊技状態が空きでないと判定した場合（ステップＳ６４でＮＯ）、処理をステップＳ６６に進める。ＣＰＵ１０１ａは処理対象となっている島に含まれるすべての遊技１、３について遊技状態を確認した否かを判定する（ステップＳ６６）。ＣＰＵ１０１ａはすべての遊技機１、３について処理していないと判定した場合（ステップＳ６６でＮＯ）、処理をステップＳ６４に戻し、未処理の遊技機１、３についての処理を行う。ＣＰＵ１０１ａは、すべての遊技機１、３について処理をしたと判定した場合（ステップＳ６６でＹＥＳ）、すべての島についての処理を行ったかを判定する（ステップＳ６７）。ＣＰＵ１０１ａは、すべての島についての処理を行っていないと判定した場合（ステップＳ６７でＮＯ）、処理をステップＳ６３に戻し、未処理の島についての処理を行う。ＣＰＵ１０１ａは、すべての島についての処理を行ったと判定した場合（ステップＳ６７でＹＥＳ）、処理を終了する。ＣＰＵ１０１ａは空き台数が所定台数を超えていると判定した場合（ステップＳ６３でＮＯ）、処理をステップＳ６７に移す。
【０１１２】実施の形態４では、島の空き台数が所定値以下の場合に空席表示を行う。例えば、島の空き台数が多い場合（島の空き台数が上記所定値より多い場合）は、その島を見た遊技者にとっては一見して空き台を把握しやすい（見つけやすい）。しかしながら、台が少ない場合は、島を一見した遊技者にとっては何処が空き台なのか、ひいては、空き台があるのかすらも分かりづらい。これに対して、本実施形態では、遊技者にとって空き台を把握しやすい状況ではプロジェクタ部による空席表示を行わないが、遊技者にとって空き台が把握困難となるであろう場合（すなわち、空き台数が少ない場合）には空席表示を行う。よって、空き台数が少ない場合であっても、遊技者は容易に空席を見つけ出すことが可能となる。
【０１１３】上述において、空席表示をする条件を空き台数が所定数以下の場合としたが、それに限らない。空き台数が島に占める割合が所定値以下の場合としても良い。
【０１１４】また、実施の形態３又は４において、空席の判定を行う際に、カメラ、画像センサを用いて、置物がされていないかを判定し、置物がされている場合、席取りがされているものとみなして、空席表示しなくても良い。置物されているとは、弾球遊技機であれば、下皿や座席に、携帯電話、タバコ、ライター、ハンカチ、未開栓の缶ジュースが置かれている場合などである。スロットマシンの場合であれば、これらのものが、受け皿又は座席に置かれている場合である。
【０１１５】各実施例で記載されている技術的特徴（構成要件）はお互いに組合せ可能であり、組み合わせすることにより、新しい技術的特徴を形成することができる。今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【０１１６】実施の形態１及び実施の形態２において、プロジェクタ部１７はそれぞれプロジェクタ１７１を一台ずつ備えているが、それに限らず複数台のプロジェクタを備えても良い。プロジェクタを複数にすることにより、画像投影箇所を広範囲にすることが可能となる。また、複数のプロジェクタからの画像を一箇所に集めることにより、画像の輝度を高めることや、１台で実現できない多彩な演出表現が可能となる。
【０１１７】３．第３の実施形態遊技機ホール全体の空間演出これまでのパチンコ、パチスロ、カジノマシン、アーケードマシン等の遊技機ホールでは、遊技機一台ごとに、複雑な演出がなされてきたが、ホール全体を一体化するような空間演出は行われていなかった。そのため、各プレイヤは、自分のプレイしている台の前で、その台で行われる演出を個々に楽しむことしかできなかった。本実施形態では、プレイヤにとってもゲームを見ている人にとってもより魅力的な空間を作り出すことを目的に、パチンコ、パチスロ、カジノマシン、アーケードマシン等のホール（島）全体を一体化する各種空間演出を提案する。
【０１１８】図４３は、本実施形態のホール全体の演出の一例を示すイメージ図である。ここでは、各筐体にそれぞれ投影板が設置されており、投影板それぞれにおいて一体的な映像が投影されている。このような一体演出は、各筐体にプロジェクタを設け、それぞれのプロジェクタを統合的に制御し、各プロジェクタが投影する画像を連続的に変化させることにより実現される。しかし、前記方法には限定されず、筐体とは別に設けた少なくとも１つのプロジェクタにより、上記一体演出を行うこともできる。この場合には、少なくとも１つのプロジェクタを制御する制御サーバを設け、その制御サーバにより、各投影板への投影を制御する。
【０１１９】図４４は、本実施形態のホール全体の演出の他の一例を示すイメージ図である。ここでは、右手前の大当たりの台から光が発生し、各投影板を走る演出が示されている。このような演出を実現させるためには、以下の構成を採用することができる。各プロジェクタを制御する中央制御装置を設置し、大当たりが発生した場合、その台から中央制御装置に大当たりを示す信号を送信する。中央制御装置は、信号送信元の台が大当たりとなったことを認識し、そこの台から光が発して走るように各プロジェクタを制御する。なお、ここでは、現在、遊技機に設置されている大当たり時に発するランプの光を検知して、大当たり台を特定する構成とすることもできる。
【０１２０】また、一体演出の対象となる例えば島等、複数の筐体の中で、特定の筐体にだけ特殊な演出をする構成とすることもできる。例えば、パチンコ遊技機であれば、グループ化された筐体群において、確率変動中の筐体の投影板には、光が多く集まる演出、又はその筐体だけ赤くなったり、炎が燃え上がっている演出等を行ってもよい。また、カジノマシンであれば、セカンダリゲーム以降の特殊な演出時に、投影板に炎を投影することもできる。上記演出は、各筐体に、所定の条件になると、プロジェクタにより所定の演出が実行されるように設定されたプログラムを組み込むことにより実現される。なお、ここで、所定の条件とは、パチンコ、パチスロでは、確率変動や大当たり等で、カジノであれば、ジャックポットやセカンダリゲーム以降への突入等である。また、所定の演出とは、光を多く集めたり、投影する光を青から赤に変えたり、炎が立つように投影する演出等である。また、特定の筐体が所定の条件を達成すると、その情報を制御サーバに送信する構成とし、制御サーバが受信した情報に基づいて、少なくとも１つのプロジェクタを制御して演出を行うこともできる。
【０１２１】プロジェクタを用いた他の演出としては、以下の態様が挙げられる。プロジェクタを用いて、島の入り口に所定のマークを投影し、人感センサにてその所定のマーク位置近傍に人を検知すると、そのマークを所定の席まで移動させてガイドする。ガイド方法としては、投影によりアニメーションでマークを移動させてもよいし、プロジェクタ自体の向きを物理的に変えて対応してもよい。
【０１２２】本実施形態では、プロジェクタ以外の方法による一体演出を実施することもできる。例えば、各筐体にランプやスピーカを設置し、島全体で光や音による演出を行ってもよい。全体演出に移行するタイミングとしては、タイマを用いて所定時間経過後に開始することもできるが、中央制御装置の制御基板に情報入力して制御することも技術的には可能である。
【０１２３】また、プレイヤが選択及び設定したキャラクタに応じて、筐体のランプから発せられる光の色を変えることもできる。さらに、キャラクタが所定時間ごとに変わり、それに応じてランプの色も変わる構成とすることもできる。
【０１２４】液晶ディスプレイの回転、分割図４５は、本実施形態の液晶ディスプレイの回転及び分割の一例を示す概念図である。図４５に示すように、本実施形態では、メイン液晶５０上に、２枚の透過型のサブ液晶（左５１ａ、右５１ｂ）が設置されている。ここで、サブ液晶５１ａ、５１ｂは、合体（Ｂ）及び分離（Ｃ）する。左右のサブ液晶５１ａ、５１ｂは、一体となって回転し（図４５（Ｄ）、(Ｅ)）、所定の角度で停止することもできる。例えば、最初の位置から９０度回転した位置で停止させることもできる。さらに、サブ液晶５１ａ、５１ｂの回転に伴って、メイン液晶５０も回転したり、サブ液晶５１ａ、５１ｂとは、独立にメイン液晶５０のみ回転することもできる。上記の演出を採用することにより、通常の投影では得られない趣向を凝らしたスピード感のある画像が得られ、プレイヤのゲームに対する興味がさらに深まる。
【符号の説明】
【０１２５】１００  弾球遊技機４  表示装置４１  第１表示部４２  第２表示部４３  第３表示部１１  表示制御部１２  画像ＤＢ１４  遊技制御部２００  スロットマシン２０１  表示装置２０１ａ  第１表示部２０１ｂ  第２表示部２０１ｃ  第３表示部２０８  遊技制御部２０９  表示制御部２１０  画像ＤＢ１  スロットマシン１７  プロジェクタ部１７１  プロジェクタ１８  主制御部１９  副制御部３  弾球遊技機３５  プロジェクタ部３５１  プロジェクタ３６  主制御部３７  副制御部 
【図１】
2015099174.tif 000003
【図２】
2015099174.tif 000004
【図３】
2015099174.tif 000005
【図４】
2015099174.tif 000006
【図５】
2015099174.tif 000007
【図６】
2015099174.tif 000008
【図７】
2015099174.tif 000009
【図８】
2015099174.tif 000010
【図９】
2015099174.tif 000011
【図１０】
2015099174.tif 000012
【図１１】
2015099174.tif 000013
【図１２】
2015099174.tif 000014
【図１３】
2015099174.tif 000015
【図１４】
2015099174.tif 000016
【図１５】
2015099174.tif 000017
【図１６】
2015099174.tif 000018
【図１７】
2015099174.tif 000019
【図１８】
2015099174.tif 000020
【図１９】
2015099174.tif 000021
【図２０】
2015099174.tif 000022
【図２１】
2015099174.tif 000023
【図２２】
2015099174.tif 000024
【図２３】
2015099174.tif 000025
【図２４】
2015099174.tif 000026
【図２５】
2015099174.tif 000027
【図２６】
2015099174.tif 000028
【図２７】
2015099174.tif 000029
【図２８】
2015099174.tif 000030
【図２９】
2015099174.tif 000031
【図３０】
2015099174.tif 000032
【図３１】
2015099174.tif 000033
【図３２】
2015099174.tif 000034
【図３３】
2015099174.tif 000035
【図３４】
2015099174.tif 000036
【図３５】
2015099174.tif 000037
【図３６】
2015099174.tif 000038
【図３７】
2015099174.tif 000039
【図３８】
2015099174.tif 000040
【図３９】
2015099174.tif 000041
【図４０】
2015099174.tif 000042
【図４１】
2015099174.tif 000043
【図４２】
2015099174.tif 000044
【図４３】
2015099174.tif 000045
【図４４】
2015099174.tif 000046
【図４５】
2015099174.tif 000047
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
遊技者の遊技により実行される抽選の結果に応じた画像を表示する遊技機であって、
複数の画像の中から遊技の状況に基づいて、所要の画像を選択する選択部と、
前記選択した画像を前記遊技機の遊技者の身体の少なくとも一部へ投影する画像投影部とを備えたこと
を特徴とする遊技機。
【請求項２】
前記遊技機の遊技者の身体の少なくとも一部の位置を取得する取得部をさらに備え、
前記画像投影部は、前記取得部により取得された位置に基づいて、前記選択した画像を前記遊技機の遊技者の身体の少なくとも一部に投影することを特徴とする請求項１に記載の遊技機。
【請求項３】
遊技者の生体情報を検出する検出部を備え、
前記画像選択部は、前記検出部が検出した生体情報及び前記遊技の状況に基づいて、画像を選択するようにしてあること
を特徴とする請求項１又は請求項２に記載の遊技機。
【国際調査報告】
2015099174.tif 000048
2015099174.tif 000049
2015099174.tif 000050
2015099174.tif 000051
2015099174.tif 000052
2015099174.tif 000053
2015099174.tif 000054
2015099174.tif 000055